(57)【特許請求の範囲】
【請求項１】
ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日付の記載が付加されている原稿を読み取って、読み取り画像データを得る原稿読取手段と、
前記読み取り画像データ中から前記所定アドレスを抽出するアドレス抽出手段と、
前記読み取り画像データ中から前記印刷日付を抽出する印刷日付抽出手段と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納する文書ファイル格納手段と、
前記アドレス抽出手段および前記印刷日付抽出手段によって前記読み取り画像データ中から抽出された所定アドレスおよび印刷日時の情報に基づいて、前記文書ファイル格納手段中の複数の文書ファイルの中から、当該所定アドレスと同じＷｅｂ上のアドレスに記憶されていたものであって前記受信日時が前記印刷日時よりも遅いファイルである第２の文書ファイルを検索する文書ファイル検索手段と、
前記第２の文書ファイルから第２の画像データを生成する第２の画像データ生成手段と、
前記第２の画像データに対応する画像を画像形成する画像形成手段と、
を有することを特徴とする画像処理装置。
【請求項２】
前記アドレス抽出手段によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する文書ファイル転送要求送信手段と、
前記サーバコンピュータから、前記第３の文書ファイルを受信する文書ファイル受信手段と、
前記第３の文書ファイルから第３の画像データを生成する第３の画像データ生成手段とをさらに有し、
前記画像形成手段は、前記文書ファイル検索手段が前記第２の文書ファイルを検出しなかった場合に前記第３の画像データに対応する画像を画像形成することを特徴とする、請求項１に記載の画像処理装置。
【請求項３】
前記画像形成手段は、前記文書ファイル検索手段が前記第２の文書ファイルを検出しなかった場合に前記読み取り画像データに対応する画像を画像形成することを特徴とする、請求項１に記載の画像処理装置。
【請求項４】
ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る原稿読取手段と、
前記読み取り画像データ中から前記所定アドレスを抽出するアドレス抽出手段と、
前記読み取り画像データ中から前記印刷日付を抽出する印刷日付抽出手段と、
ネットワーク上のサーバコンピュータから受信した文書ファイルと、各文書ファイルが記憶されていたＷｅｂ上の各アドレスと、サーバコンピュータから各文書ファイルが受信された各受信日時と、を相互に関連づけて格納する文書ファイル格納手段と、
前記アドレス抽出手段および前記印刷日付抽出手段によって前記読み取り画像データ中から抽出された所定アドレスおよび印刷日時の情報に基づいて、前記文書ファイル格納手段中の複数の文書ファイルの中から、当該所定アドレスと同じＷｅｂ上のアドレスに記憶されていたものであって前記受信日時が前記印刷日時よりも遅いファイルである第２の文書ファイルを検索する文書ファイル検索手段と、
前記第２の文書ファイルから第２の画像データを生成する第２の画像データ生成手段と、
前記アドレス抽出手段によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する文書ファイル転送要求送信手段と、
前記サーバコンピュータから、前記第３の文書ファイルを受信する文書ファイル受信手段と、
前記第３の文書ファイルから第３の画像データを生成する第３の画像データ生成手段と、
画像データ出力モードが画質優先モードであるか速度優先モードであるかの設定入力を受け付ける画像データ出力モード設定入力手段と、
設定入力を受け付けた前記画像データ出力モードが画質優先モードである場合に、前記文書ファイル検索手段が第２の文書ファイルを検出した場合には前記第２の画像データに対応する画像を、前記文書ファイル検索手段が第２の文書ファイルを検出しなかった場合には前記第３の画像データに対応する画像を画像形成する第１の画像形成手段と、
設定入力を受け付けた前記画像データ出力モードが速度優先モードである場合に、前記文書ファイル検索手段が第２の文書ファイルを検出した場合には前記第２の画像データに対応する画像を、前記文書ファイル検索手段が第２の文書ファイルを検出しなかった場合には前記読み取り画像データに対応する画像を画像形成する第２の画像形成手段と、
を有することを特徴とする画像処理装置。
【請求項５】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る原稿読取手段と、
前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する縮小画像原稿判別手段と、
前記読み取り画像データが縮小画像原稿を読み取って得られたものでない場合に前記読み取り画像データに対応する画像を画像形成する第１の画像形成手段と、
前記読み取り画像データ中から前記所定アドレスを抽出するアドレス抽出手段と、
前記アドレス抽出手段によって前記読み取り画像データ中から抽出された前記所定アドレスに基づいて、前記サーバコンピュータに対し、前記原稿を読み取る際に前記所定アドレスに記憶されている文書ファイルについての転送要求を送信する文書ファイル転送要求送信手段と、
前記サーバコンピュータから、前記原稿を読み取る際に前記所定アドレスに記憶されている文書ファイルを受信する文書ファイル受信手段と、
前記原稿を読み取る際に前記所定アドレスに記憶されている文書ファイルとして、前記サーバコンピュータから受信した文書ファイルから、第２の画像データを生成する画像データ生成手段と、
前記読み取り画像データが縮小画像原稿を読み取って得られたものである場合に前記第２の画像データに対応する画像を画像形成する第２の画像形成手段と、
を有することを特徴とする画像処理装置。
【請求項６】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る原稿読取手段と、
前記読み取り画像データがカラーであるかモノクロであるかを判別するカラー／モノクロ判別手段と、
前記読み取り画像データがカラーである場合に前記読み取り画像データに対応する画像をカラーで画像形成する第１の画像形成手段と、
前記読み取り画像データ中から前記所定アドレスを抽出するアドレス抽出手段と、
前記アドレス抽出手段によって前記読み取り画像データ中から抽出された前記所定アドレスに基づいて、前記サーバコンピュータに対し、前記原稿を読み取る際に前記所定アドレスに記憶されている文書ファイルについての転送要求を送信する文書ファイル転送要求送信手段と、
前記サーバコンピュータから、前記原稿を読み取る際に前記所定アドレスに記憶されている文書ファイルを受信する文書ファイル受信手段と、
前記原稿を読み取る際に前記所定アドレスに記憶されている文書ファイルとして、前記サーバコンピュータから受信した文書ファイルから第２の画像データを生成する画像データ生成手段と、
前記読み取り画像データがモノクロである場合に前記第２の画像データに対応する画像をカラーで画像形成する第２の画像形成手段と、
を有することを特徴とする画像処理装置。
【請求項７】
ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日付の記載が付加されている原稿を読み取って、読み取り画像データを得る段階（１）と、
前記読み取り画像データ中から前記所定アドレスを抽出する段階（２）と、
前記読み取り画像データ中から前記印刷日付を抽出する段階（３）と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記段階（２）および前記段階（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する段階（４）と、
前記第２の文書ファイルから第２の画像データを生成する段階（５）と、
前記第２の画像データに対応する画像を画像形成する段階（６）と、を有し、
前記段階（１）乃至段階（６）は画像処理装置によって実行される、ことを特徴とする画像処理方法。
【請求項８】
ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日付の記載が付加されている原稿を読み取って、読み取り画像データを得る手順（１）と、
前記読み取り画像データ中から前記所定アドレスを抽出する手順（２）と、
前記読み取り画像データ中から前記印刷日時を抽出する手順（３）と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記手順（２）および前記手順（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する手順（４）と、
前記第２の文書ファイルから第２の画像データを生成する手順（５）と、
前記第２の画像データに対応する画像を画像形成する手順（６）と、
を画像処理装置に実行させることを特徴とする画像処理プログラム。
【請求項９】
請求項８に記載の画像処理プログラムを記録したコンピュータ読取可能な記録媒体。
【請求項１０】
ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日付の記載が付加されている原稿を読み取って、読み取り画像データを得る原稿読取手段と、
前記読み取り画像データ中から前記所定アドレスを抽出するアドレス抽出手段と、
前記読み取り画像データ中から前記印刷日付を抽出する印刷日付抽出手段と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納する文書ファイル格納手段と、
前記アドレス抽出手段および前記印刷日付抽出手段によって前記読み取り画像データ中から抽出された所定アドレスおよび印刷日時の情報に基づいて、前記文書ファイル格納手段中の複数の文書ファイルの中から、当該所定アドレスと同じＷｅｂ上のアドレスに記憶されていたものであって前記受信日時が前記印刷日時よりも遅いファイルである第２の文書ファイルを検索する文書ファイル検索手段と、
前記第２の文書ファイルから第２の画像データを生成する第２の画像データ生成手段と、
前記第２の画像データに対応する画像を他の機器に画像形成させるために、当該第２の画像データを他の機器に送信する画像データ送信手段と、
を有することを特徴とする画像処理装置。
【請求項１１】
前記アドレス抽出手段によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する文書ファイル転送要求送信手段と、
前記サーバコンピュータから、前記第３の文書ファイルを受信する文書ファイル受信手段と、
前記第３の文書ファイルから第３の画像データを生成する第３の画像データ生成手段とをさらに有し、
前記画像データ送信手段は、前記文書ファイル検索手段が第２の文書ファイルを検出しなかった場合に、前記第３の画像データに対応する画像を他の機器に画像形成させるために、当該第３の画像データを他の機器に送信することを特徴とする、
請求項１０に記載の画像処理装置。
【請求項１２】
前記画像データ送信手段は、前記文書ファイル検索手段が第２の文書ファイルを検出しなかった場合に、前記読み取り画像データに対応する画像を画像形成させるために、当該読み取り画像データを他の機器に送信することを特徴とする、
請求項１０に記載の画像処理装置。
【請求項１３】
ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る原稿読取手段と、
前記読み取り画像データ中から前記所定アドレスを抽出するアドレス抽出手段と、
前記読み取り画像データ中から前記印刷日付を抽出する印刷日付抽出手段と、
ネットワーク上のサーバコンピュータから受信した文書ファイルと、各文書ファイルが記憶されていたＷｅｂ上の各アドレスと、サーバコンピュータから各文書ファイルが受信された各受信日時と、を相互に関連づけて格納する文書ファイル格納手段と、
前記アドレス抽出手段および前記印刷日付抽出手段によって前記読み取り画像データ中から抽出された所定アドレスおよび印刷日時の情報に基づいて、前記文書ファイル格納手段中の複数の文書ファイルの中から、当該所定アドレスと同じＷｅｂ上のアドレスに記憶されていたものであって前記受信日時が前記印刷日時よりも遅いファイルである第２の文書ファイルを検索する文書ファイル検索手段と、
前記第２の文書ファイルから第２の画像データを生成する第２の画像データ生成手段と、
前記アドレス抽出手段によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する文書ファイル転送要求送信手段と、
前記サーバコンピュータから、前記第３の文書ファイルを受信する文書ファイル受信手段と、
前記第３の文書ファイルから第３の画像データを生成する第３の画像データ生成手段と、
画像データ出力モードが画質優先モードであるか速度優先モードであるかの設定入力を受け付ける画像データ出力モード設定入力手段と、
設定入力を受け付けた前記画像データ出力モードが画質優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記第３の画像データに対応する画像を他の機器に画像形成させるために当該第３の画像データを、他の機器に送信する第１の画像データ送信手段と、
設定入力を受け付けた前記画像データ出力モードが速度優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記読み取り画像データに対応する画像を他の機器に画像形成させるために当該読み取り画像データを他の機器に送信する第２の画像データ送信手段と、
を有することを特徴とする画像処理装置。
【請求項１４】
ネットワーク上でサーバコンピュータにより公開されたており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る原稿読取手段と、
前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する縮小画像原稿判別手段と、
前記読み取り画像データが縮小画像原稿を読み取って得られたものでない場合に前記読み取り画像データに対応する画像を他の機器に画像形成させるために、当該読み取り画像データを他の機器に送信する第１の画像データ送信手段と、
前記読み取り画像データ中から前記所定アドレスを抽出するアドレス抽出手段と、
前記アドレス抽出手段によって前記読み取り画像データ中から抽出された前記所定アドレスに基づいて、前記サーバコンピュータに対し、前記原稿を読み取る際に前記所定アドレスに記憶されている文書ファイルについての転送要求を送信する文書ファイル転送要求送信手段と、
前記サーバコンピュータから、前記原稿を読み取る際に前記所定アドレスに記憶されている文書ファイルを受信する文書ファイル受信手段と、
前記原稿を読み取る際に前記所定アドレスに記憶されている文書ファイルとして、前記サーバコンピュータから受信した文書ファイルから、第２の画像データを生成する画像データ生成手段と、
前記読み取り画像データが縮小画像原稿を読み取って得られたものである場合に前記第２の画像データに対応する画像を他の機器に画像形成させるために、当該第２の画像データを他の機器に送信する第２の画像データ送信手段と、
を有することを特徴とする画像処理装置。
【請求項１５】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る原稿読取手段と、
前記読み取り画像データがカラーであるかモノクロであるかを判別するカラー／モノクロ判別手段と、
前記読み取り画像データがカラーである場合に前記読み取り画像データに対応する画像を他の機器にカラーで画像形成させるために、当該読み取り画像データを前記他の機器に送信する第１の画像データ送信手段と、
前記読み取り画像データ中から前記所定アドレスを抽出するアドレス抽出手段と、
前記アドレス抽出手段によって前記読み取り画像データ中から抽出された前記所定アドレスに基づいて、前記サーバコンピュータに対し、前記原稿を読み取る際に前記所定アドレスに記憶されている文書ファイルについての転送要求を送信する文書ファイル転送要求送信手段と、
前記サーバコンピュータから、前記原稿を読み取る際に前記所定アドレスに記憶されている文書ファイルを受信する文書ファイル受信手段と、
前記原稿を読み取る際に前記所定アドレスに記憶されている文書ファイルとして、前記サーバコンピュータから受信した文書ファイルから、第２の画像データを生成する画像データ生成手段と、
前記読み取り画像データがモノクロである場合に、モノクロで画像形成する機器には、前記読み取り画像データに対応する画像を画像形成させるために当該読み取り画像データを、カラーで画像形成する機器には、前記第２の画像データに対応する画像を画像形成させるために、当該第２の画像データをそれぞれ送信する第２の画像データ送信手段と、
を有することを特徴とする画像処理装置。
【請求項１６】
前記段階（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する段階（７）と、
前記サーバコンピュータから、前記第３の文書ファイルを受信する段階（８）と、
前記第３の文書ファイルから第３の画像データを生成する段階（９）とをさらに有し、
前記段階（７）乃至段階（９）は画像処理装置によって実行され
前記段階（６）は、前記段階（４）で第２の文書ファイルを検出しなかった場合に前記第３の画像データに対応する画像を画像形成することを特徴とする、
請求項７に記載の画像形成方法。
【請求項１７】
前記段階（６）は、前記段階（４）で第２の文書ファイルを検出しなかった場合に前記読み取り画像データに対応する画像を画像形成することを特徴とする、
請求項７に記載の画像形成方法。
【請求項１８】
ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る段階（１）と、
前記読み取り画像データ中から前記所定アドレスを抽出する段階（２）と、
前記読み取り画像データ中から前記印刷日付を抽出する段階（３）と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記段階（２）および前記段階（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する段階（４）と、
前記第２の文書ファイルから第２の画像データを生成する段階（５）と、
前記段階（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する段階（６）と、
前記サーバコンピュータから、前記第３の文書ファイルを受信する段階（７）と、
前記第３の文書ファイルから第３の画像データを生成する段階（８）と、
画像データ出力モードが画質優先モードであるか速度優先モードであるかの設定入力を受け付ける段階（９）と、
設定入力を受け付けた前記画像データ出力モードが画質優先モードである場合に、前記文書ファイル検索手段が第２の文書ファイルを検出した場合には前記第２の画像データに対応する画像を、前記文書ファイル検索手段が第２の文書ファイルを検出しなかった場合には前記第３の画像データに対応する画像を画像形成する段階（１０）と、
設定入力を受け付けた前記画像データ出力モードが速度優先モードである場合に、前記文書ファイル検索手段が第２の文書ファイルを検出した場合には前記第２の画像データに対応する画像を、前記文書ファイル検索手段が第２の文書ファイルを検出しなかった場合には前記読み取り画像データに対応する画像を画像形成する段階（１１）と、を有し、
前記段階（１）乃至段階（１１）は画像処理装置によって実行される、ことを特徴とする画像処理方法。
【請求項１９】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、
前記読み取り画像データ中から前記所定アドレスを抽出する段階（２）と、
前記読み取り画像データ中から前記印刷日付を抽出する段階（３）と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記段階（２）および前記段階（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する段階（４）と、
前記第２の文書ファイルから第２の画像データを生成する段階（５）と、
前記第２の画像データの画像を他の機器に画像形成させるために当該第２の画像データを他の機器に送信する段階（６）と、を有し、
前記段階（１）乃至段階（６）は画像処理装置によって実行される、ことを特徴とする画像処理方法。
【請求項２０】
前記段階（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する段階（７）と、
前記サーバコンピュータから、前記第３の文書ファイルを受信する段階（８）と、
前記第３の文書ファイルから第３の画像データを生成する段階（９）とをさらに有し、
前記段階（７）乃至段階（９）は画像処理装置によって実行され
前記段階（６）は、前記段階（４）で第２の文書ファイルを検出しなかった場合に前記第３の画像データに対応する画像を他の機器に画像形成させるために当該第３の画像データを他の機器に送信することを特徴とする、
請求項１９に記載の画像形成方法。
【請求項２１】
前記段階（６）は、前記段階（４）で第２の文書ファイルを検出しなかった場合に前記読み取り画像データに対応する画像を他の機器に画像形成させるために当該読み取り画像データを他の機器に送信することを特徴とする、
請求項１９に記載の画像形成方法。
【請求項２２】
ネットワーク上でサーバコンピュータにより公開されおり、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る段階（１）と、
前記読み取り画像データ中から前記所定アドレスを抽出する段階（２）と、
前記読み取り画像データ中から前記印刷日付を抽出する段階（３）と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記段階（２）および前記段階（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する段階（４）と、
前記第２の文書ファイルから第２の画像データを生成する段階（５）と、
前記段階（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する段階（６）と、
前記サーバコンピュータから、前記第３の文書ファイルを受信する段階（７）と、
前記第３の文書ファイルから第３の画像データを生成する段階（８）と、
画像データ出力モードが画質優先モードであるか速度優先モードであるかの設定入力を受け付ける段階（９）と、
設定入力を受け付けた前記画像データ出力モードが画質優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記第３の画像データに対応する画像を他の機器に画像形成させるために当該第３の画像データを、他の機器に送信する段階（１０）と、
設定入力を受け付けた前記画像データ出力モードが速度優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記読み取り画像データに対応する画像を他の機器に画像形成させるために当該読み取り画像データを、他の機器に送信する段階（１１）と、を有し、
前記段階（１）乃至段階（１１）は画像処理装置によって実行される、ことを特徴とする画像処理方法。
【請求項２３】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、
前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する段階（２）と、
前記読み取り画像データが縮小画像原稿を読み取って得られたものでない場合に前記読み取り画像データに対応する画像を画像形成する段階（３）と、
前記読み取り画像データ中から前記所定アドレスを抽出する段階（４）と、
前記段階（４）によって前記読み取り画像データ中から抽出された前記所定アドレスに基づいて、前記サーバコンピュータに対し、前記原稿を読み取る際に前記所定アドレスに記憶されている文書ファイルについての転送要求を送信する段階（５）と、
前記サーバコンピュータから、前記原稿を読み取る際に前記所定アドレスに記憶されている文書ファイルを受信する段階（６）と、
前記原稿を読み取る際に前記所定アドレスに記憶されている文書ファイルとして、前記サーバコンピュータから受信した文書ファイルから、第２の画像データを生成する段階（７）と、
前記読み取り画像データが縮小画像原稿を読み取って得られたものである場合に前記第２の画像データに対応する画像を画像形成する段階（８）と、を有し、
前記段階（１）乃至段階（８）は画像処理装置によって実行される、ことを特徴とする画像処理方法。
【請求項２４】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、
前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する段階（２）と、
前記第１の画像データが縮小画像原稿を読み取って得られたものでない場合に前記読み取り画像データに対応する画像を他の機器に画像形成させるために、当該読み取り画像データを他の機器に送信する段階（３）と、
前記読み取り画像データ中から前記所定アドレスを抽出する段階（４）と、
前記段階（４）によって前記読み取り画像データ中から抽出された前記所定アドレスに基づいて、前記サーバコンピュータに対し、前記原稿を読み取る際に前記所定アドレスに記憶されている文書ファイルについての転送要求を送信する段階（５）と、
前記サーバコンピュータから、前記原稿を読み取る際に前記所定アドレスに記憶されている文書ファイルを受信する段階（６）と、
前記原稿を読み取る際に前記所定アドレスに記憶されている文書ファイルとして、前記サーバコンピュータから受信した文書ファイルから、第２の画像データを生成する段階（７）と、
前記読み取り画像データが縮小画像原稿を読み取って得られたものである場合に前記第２の画像データに対応する画像を他の機器に画像形成させるために、当該第２の画像データを他の機器に送信する段階（８）と、を有し、
前記段階（１）乃至段階（８）は画像処理装置によって実行される、ことを特徴とする画像処理方法。
【請求項２５】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、
前記読み取り画像データがカラーであるかモノクロであるかを判別する段階（２）と、
前記読み取り画像データがカラーである場合に前記読み取り画像データに対応する画像をカラーで画像形成する段階（３）と、
前記読み取り画像データ中から前記所定アドレスを抽出する段階（４）と、
前記段階（４）において前記読み取り画像データ中から抽出された前記所定アドレスに基づいて、前記サーバコンピュータに対し、前記原稿を読み取る際に前記所定アドレスに記憶されている文書ファイルについての転送要求を送信する段階（５）と、
前記サーバコンピュータから、前記原稿を読み取る際に前記所定アドレスに記憶されている文書ファイルを受信する段階（６）と、
前記原稿を読み取る際に前記所定アドレスに記憶されている文書ファイルとして、前記サーバコンピュータから受信した文書ファイルから第２の画像データを生成する段階（７）と、
前記読み取り画像データがモノクロである場合に、前記第２の画像データに対応する画像をカラーで画像形成する段階（８）と、を有し、
前記段階（１）乃至段階（８）は画像処理装置によって実行される、ことを特徴とする画像処理方法。
【請求項２６】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、
前記読み取り画像データがカラーであるかモノクロであるかを判別する段階（２）と、
前記読み取り画像データがカラーである場合に前記読み取り画像データに対応する画像を他の機器に画像形成させるために、当該読み取り画像データを前記他の機器に送信する段階（３）と、
前記読み取り画像データ中から前記所定アドレスを抽出する段階（４）と、
前記段階（４）において前記読み取り画像データ中から抽出された前記所定アドレスに基づいて、前記サーバコンピュータに対し、前記原稿を読み取る際に前記所定アドレスに記憶されている文書ファイルについての転送要求を送信する段階（５）と、
前記サーバコンピュータから、前記原稿を読み取る際に前記所定アドレスに記憶されている文書ファイルを受信する段階（６）と、
前記原稿を読み取る際に前記所定アドレスに記憶されている文書ファイルとして、前記サーバコンピュータから受信した文書ファイルから第２の画像データを生成する段階（７）と、
前記読み取り画像データがモノクロである場合に、モノクロで画像形成する機器には、前記読み取り画像データに対応する画像を画像形成させるために当該読み取り画像データを、カラーで画像形成する機器には、前記第２の画像データに対応する画像を画像形成させるために、当該第２の画像データをそれぞれ送信する段階（８）と、を有し、
前記段階（１）乃至段階（８）は画像処理装置によって実行される、ことを特徴とする画像処理方法。
【請求項２７】
前記手順（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する手順（７）と、
前記サーバコンピュータから、前記第３の文書ファイルを受信する手順（８）と、
前記第３の文書ファイルから第３の画像データを生成する手順（９）とをさらに画像処理装置に実行させ、
前記手順（６）は、前記手順（４）で第２の文書ファイルを検出しなかった場合に前記第３の画像データに対応する画像を画像形成することを特徴とする、
請求項８に記載の画像処理プログラム。
【請求項２８】
前記手順（６）は、前記手順（４）で第２の文書ファイルを検出しなかった場合に前記読み取り画像データに対応する画像を画像形成することを特徴とする、
請求項８に記載の画像処理プログラム。
【請求項２９】
ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る手順（１）と、
前記読み取り画像データ中から前記所定アドレスを抽出する手順（２）と、
前記読み取り画像データ中から前記印刷日付を抽出する手順（３）と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記手順（２）および前記手順（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する手順（４）と、
前記第２の文書ファイルから第２の画像データを生成する手順（５）と、
前記手順（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する手順（６）と、
前記サーバコンピュータから、前記第３の文書ファイルを受信する手順（７）と、
前記第３の文書ファイルから第３の画像データを生成する手順（８）と、
画像データ出力モードが画質優先モードであるか速度優先モードであるかの設定入力を受け付ける手順（９）と、
設定入力を受け付けた前記画像データ出力モードが画質優先モードである場合に、前記文書ファイル検索手段が第２の文書ファイルを検出した場合には前記第２の画像データに対応する画像を、前記文書ファイル検索手段が第２の文書ファイルを検出しなかった場合には前記第３の画像データに対応する画像を画像形成する手順（１０）と、
設定入力を受け付けた前記画像データ出力モードが速度優先モードである場合に、前記文書ファイル検索手段が第２の文書ファイルを検出した場合には前記第２の画像データに対応する画像を、前記文書ファイル検索手段が第２の文書ファイルを検出しなかった場合には前記読み取り画像データに対応する画像を画像形成する手順（１１）と、
を画像処理装置に実行させることを特徴とする画像処理プログラム。
【請求項３０】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、
前記読み取り画像データ中から前記所定アドレスを抽出する手順（２）と、
前記読み取り画像データ中から前記印刷日付を抽出する手順（３）と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記手順（２）および前記手順（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する手順（４）と、
前記第２の文書ファイルから第２の画像データを生成する手順（５）と、
前記第２の画像データの画像を他の機器に画像形成させるために当該第２の画像データを他の機器に送信する手順（６）と、
を画像処理装置に実行させることを特徴とする画像処理プログラム。
【請求項３１】
前記手順（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する手順（７）と、
前記サーバコンピュータから、前記第３の文書ファイルを受信する手順（８）と、
前記第３の文書ファイルから第３の画像データを生成する手順（９）とをさらに画像処理装置に実行させ、
前記手順（６）は、前記手順（４）で第２の文書ファイルを検出しなかった場合に前記第３の画像データに対応する画像を他の機器に画像形成させるために当該第３の画像データを他の機器に送信することを特徴とする、
請求項３０に記載の画像処理プログラム。
【請求項３２】
前記手順（６）は、前記手順（４）で第２の文書ファイルを検出しなかった場合に前記読み取り画像データに対応する画像を他の機器に画像形成させるために当該読み取り画像データを他の機器に送信することを特徴とする、
請求項３０に記載の画像処理プログラム。
【請求項３３】
ネットワーク上でサーバコンピュータにより公開されおり、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る手順（１）と、
前記読み取り画像データ中から前記所定アドレスを抽出する手順（２）と、
前記読み取り画像データ中から前記印刷日付を抽出する手順（３）と、
ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記手順（２）および前記手順（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する手順（４）と、
前記第２の文書ファイルから第２の画像データを生成する手順（５）と、
前記手順（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する手順（６）と、
前記サーバコンピュータから、前記第３の文書ファイルを受信する手順（７）と、
前記第３の文書ファイルから第３の画像データを生成する手順（８）と、
画像データ出力モードが画質優先モードであるか速度優先モードであるかの設定入力を受け付ける手順（９）と、
設定入力を受け付けた前記画像データ出力モードが画質優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記第３の画像データに対応する画像を他の機器に画像形成させるために当該第３の画像データを、他の機器に送信する手順（１０）と、
設定入力を受け付けた前記画像データ出力モードが速度優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記読み取り画像データに対応する画像を他の機器に画像形成させるために当該読み取り画像データを、他の機器に送信する手順（１１）と、
を画像処理装置に実行させることを特徴とする画像処理プログラム。
【請求項３４】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、
前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する手順（２）と、
前記読み取り画像データが縮小画像原稿を読み取って得られたものでない場合に前記読み取り画像データに対応する画像を画像形成する手順（３）と、
前記読み取り画像データ中から前記所定アドレスを抽出する手順（４）と、
前記手順（４）によって前記読み取り画像データ中から抽出された前記所定アドレスに基づいて、前記サーバコンピュータに対し、前記原稿を読み取る際に前記所定アドレスに記憶されている文書ファイルについての転送要求を送信する手順（５）と、
前記サーバコンピュータから、前記原稿を読み取る際に前記所定アドレスに記憶されている文書ファイルを受信する手順（６）と、
前記原稿を読み取る際に前記所定アドレスに記憶されている文書ファイルとして、前記サーバコンピュータから受信した文書ファイルから、第２の画像データを生成する手順（７）と、
前記読み取り画像データが縮小画像原稿を読み取って得られたものである場合に前記第２の画像データに対応する画像を画像形成する手順（８）と、
を画像処理装置に実行させることを特徴とする画像処理プログラム。
【請求項３５】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、
前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する手順（２）と、
前記第１の画像データが縮小画像原稿を読み取って得られたものでない場合に前記読み取り画像データに対応する画像を他の機器に画像形成させるために、当該読み取り画像データを他の機器に送信する手順（３）と、
前記読み取り画像データ中から前記所定アドレスを抽出する手順（４）と、
前記手順（４）によって前記読み取り画像データ中から抽出された前記所定アドレスに基づいて、前記サーバコンピュータに対し、前記原稿を読み取る際に前記所定アドレスに記憶されている文書ファイルについての転送要求を送信する手順（５）と、
前記サーバコンピュータから、前記原稿を読み取る際に前記所定アドレスに記憶されている文書ファイルを受信する手順（６）と、
前記原稿を読み取る際に前記所定アドレスに記憶されている文書ファイルとして、前記サーバコンピュータから受信した文書ファイルから、第２の画像データを生成する手順（７）と、
前記読み取り画像データが縮小画像原稿を読み取って得られたものである場合に前記第２の画像データに対応する画像を他の機器に画像形成させるために、当該第２の画像データを他の機器に送信する手順（８）と
を画像処理装置に実行させることを特徴とする画像処理プログラム。
【請求項３６】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、
前記読み取り画像データがカラーであるかモノクロであるかを判別する手順（２）と、
前記読み取り画像データがカラーである場合に前記読み取り画像データに対応する画像をカラーで画像形成する手順（３）と、
前記読み取り画像データ中から前記所定アドレスを抽出する手順（４）と、
前記手順（４）において前記読み取り画像データ中から抽出された前記所定アドレスに基づいて、前記サーバコンピュータに対し、前記原稿を読み取る際に前記所定アドレスに記憶されている文書ファイルについての転送要求を送信する手順（５）と、
前記サーバコンピュータから、前記原稿を読み取る際に前記所定アドレスに記憶されている文書ファイルを受信する手順（６）と、
前記原稿を読み取る際に前記所定アドレスに記憶されている文書ファイルとして、前記サーバコンピュータから受信した文書ファイルから第２の画像データを生成する手順（７）と、
前記読み取り画像データがモノクロである場合に、前記第２の画像データに対応する画像をカラーで画像形成する手順（８）と、
を画像処理装置に実行させることを特徴とする画像処理プログラム。
【請求項３７】
ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、
前記読み取り画像データがカラーであるかモノクロであるかを判別する手順（２）と、
前記読み取り画像データがカラーである場合に前記読み取り画像データに対応する画像を他の機器に画像形成させるために、当該読み取り画像データを前記他の機器に送信する手順（３）と、
前記読み取り画像データ中から前記所定アドレスを抽出する手順（４）と、
前記手順（４）において前記読み取り画像データ中から抽出された前記所定アドレスに基づいて、前記サーバコンピュータに対し、前記原稿を読み取る際に前記所定アドレスに記憶されている文書ファイルについての転送要求を送信する手順（５）と、
前記サーバコンピュータから、前記原稿を読み取る際に前記所定アドレスに記憶されている文書ファイルを受信する手順（６）と、
前記原稿を読み取る際に前記所定アドレスに記憶されている文書ファイルとして、前記サーバコンピュータから受信した文書ファイルから第２の画像データを生成する手順（７）と、
前記読み取り画像データがモノクロである場合に、モノクロで画像形成する機器には、前記読み取り画像データに対応する画像を画像形成させるために当該読み取り画像データを、カラーで画像形成する機器には、前記第２の画像データに対応する画像を画像形成させるために、当該第２の画像データをそれぞれ送信する手順（８）と、
を画像処理装置に実行させることを特徴とする画像処理プログラム。
【請求項３８】
請求項２７〜３７に記載の画像処理プログラムを記録したコンピュータ読取可能な記録媒体。
【発明の詳細な説明】
【０００１】
【発明の属する技術分野】
本発明は、Ｗｅｂページの印刷物を読み取ってＵＲＬを文字認識し、そのＷｅｂサーバに接続してＷｅｂページの画像データを生成して出力する画像処理装置に関する。
【０００２】
【従来の技術】
近年、パソコンの普及に伴いインターネットの利用者が増大し、Ｗｅｂページを印刷する機会が増えるとともに、未だ紙媒体による情報伝播が相当量行われていることから、Ｗｅｂページの印刷物をコピーする機会も多くなっている。ところが、Ｗｅｂページはカラー画像が主流であるため、Ｗｅｂページの印刷物をコピーすると画像の劣化が目立ち易い。そこで、Ｗｅｂページの印刷物をコピーする際に、原稿のフッタ等に記録されているＵＲＬを文字認識しそのＵＲＬが示すＷｅｂサーバに接続してＨＴＭＬファイルを取得し、Ｗｅｂページの画像データを生成してこれを印刷することにより、画像劣化がなく最新の画像によるＷｅｂページの印刷物を取得し得る画像処理装置が多数提案されている（特開平１０−２８３３１３号公報等）。
【０００３】
しかし、すべての場合にＷｅｂページからの新たなダウンロード画像が必要なわけではなく、画質を優先しつつもできるだけ早い出力をも望む場合や速度を優先しつつもできるだけ画質の良い出力をも望む場合等がある。また、Ｗｅｂページの複数ページ分の画像を１ページに縮小して印刷したＮｉｎ１原稿では、これをそのままコピーすると細線のかすれや文字のつぶれが起こり易く、かかる場合のみダウンロード画像による高画質の印刷物を望む場合がある。さらに、出力装置がカラー出力可能である場合に、モノクロの原稿では当然にカラー出力ができず、かかる場合のみダウンロード画像を取得してカラー出力を行いたいという要望がある。上述した従来の画像処理装置では、このようなユーザの要請に対していずれも対応することができなかった。
【０００４】
【発明が解決しようとする課題】
本発明は、上記従来技術の有する問題点に鑑みなされたものであり、その目的とするところは、Ｗｅｂページの印刷物を読み取ってＵＲＬを文字認識し、そのＷｅｂサーバに接続してＷｅｂページの画像データを生成して出力する画像処理装置において、画質優先や速度優先というユーザの要望に合わせて原稿画像データとダウンロードしたＷｅｂページ画像データを適宜選択して出力することのできる画像処理装置を提供することにある。
【０００５】
本発明の他の目的は、原稿がＮｉｎ１原稿である場合のみダウンロードしたＷｅｂページ画像データを利用することにより、文字つぶれ等のない高画質のＷｅｂページ画像を出力することのできる画像処理装置を提供することにある。
【０００６】
本発明の他の目的は、出力装置がカラー出力可能である場合に、モノクロ原稿についてのみダウンロードしたＷｅｂページ画像データを利用することにより、モノクロ原稿であってもカラーで出力することのできる画像処理装置を提供することにある。
【０００７】
【課題を解決するための手段】
本発明の上記目的は、以下の各手段により達成される。
【０００８】
（ａ）  ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日付の記載が付加されている原稿を読み取って、読み取り画像データを得る原稿読取手段と、前記読み取り画像データ中から前記所定アドレスを抽出するアドレス抽出手段と、前記読み取り画像データ中から前記印刷日付を抽出する印刷日付抽出手段と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納する文書ファイル格納手段と、前記アドレス抽出手段および前記印刷日付抽出手段によって前記読み取り画像データ中から抽出された所定アドレスおよび印刷日時の情報に基づいて、前記文書ファイル格納手段中の複数の文書ファイルの中から、当該所定アドレスと同じＷｅｂ上のアドレスに記憶されていたものであって前記受信日時が前記印刷日時よりも遅いファイルである第２の文書ファイルを検索する文書ファイル検索手段と、前記第２の文書ファイルから第２の画像データを生成する第２の画像データ生成手段と、前記第２の画像データに対応する画像を画像形成する画像形成手段と、を有することを特徴とする画像処理装置。
【０００９】
（ｂ）  前記アドレス抽出手段によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する文書ファイル転送要求送信手段と、前記サーバコンピュータから、前記第３の文書ファイルを受信する文書ファイル受信手段と、前記第３の文書ファイルから第３の画像データを生成する第３の画像データ生成手段とをさらに有し、前記画像形成手段は、前記文書ファイル検索手段が前記第２の文書ファイルを検出しなかった場合に前記第３の画像データに対応する画像を画像形成することを特徴とする、前記（ａ）に記載の画像処理装置。
【００１０】
（ｃ）  前記画像形成手段は、前記文書ファイル検索手段が前記第２の文書ファイルを検出しなかった場合に前記読み取り画像データに対応する画像を画像形成することを特徴とする、前記（ａ）に記載の画像処理装置。
【００１１】
（ｄ）  ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る原稿読取手段と、前記読み取り画像データ中から前記所定アドレスを抽出するアドレス抽出手段と、前記読み取り画像データ中から前記印刷日付を抽出する印刷日付抽出手段と、ネットワーク上のサーバコンピュータから受信した文書ファイルと、各文書ファイルが記憶されていたＷｅｂ上の各アドレスと、サーバコンピュータから各文書ファイルが受信された各受信日時と、を相互に関連づけて格納する文書ファイル格納手段と、前記アドレス抽出手段および前記印刷日付抽出手段によって前記読み取り画像データ中から抽出された所定アドレスおよび印刷日時の情報に基づいて、前記文書ファイル格納手段中の複数の文書ファイルの中から、当該所定アドレスと同じＷｅｂ上のアドレスに記憶されていたものであって前記受信日時が前記印刷日時よりも遅いファイルである第２の文書ファイルを検索する文書ファイル検索手段と、前記第２の文書ファイルから第２の画像データを生成する第２の画像データ生成手段と、前記アドレス抽出手段によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する文書ファイル転送要求送信手段と、前記サーバコンピュータから、前記第３の文書ファイルを受信する文書ファイル受信手段と、前記第３の文書ファイルから第３の画像データを生成する第３の画像データ生成手段と、画像データ出力モードが画質優先モードであるか速度優先モードであるかの設定入力を受け付ける画像データ出力モード設定入力手段と、設定入力を受け付けた前記画像データ出力モードが画質優先モードである場合に、前記文書ファイル検索手段が第２の文書ファイルを検出した場合には前記第２の画像データに対応する画像を、前記文書ファイル検索手段が第２の文書ファイルを検出しなかった場合には前記第３の画像データに対応する画像を画像形成する第１の画像形成手段と、設定入力を受け付けた前記画像データ出力モードが速度優先モードである場合に、前記文書ファイル検索手段が第２の文書ファイルを検出した場合には前記第２の画像データに対応する画像を、前記文書ファイル検索手段が第２の文書ファイルを検出しなかった場合には前記読み取り画像データに対応する画像を画像形成する第２の画像形成手段と、を有することを特徴とする画像処理装置。
【００１２】
（ｅ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る原稿読取手段と、前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する縮小画像原稿判別手段と、前記読み取り画像データが縮小画像原稿を読み取って得られたものでない場合に前記読み取り画像データに対応する画像を画像形成する第１の画像形成手段と、前記読み取り画像データ中から前記所定アドレスを抽出するアドレス抽出手段と、前記アドレス抽出手段によって前記読み取り画像データ中から抽出された前記所定アドレスに基づいて、前記サーバコンピュータに対し、前記原稿を読み取る際に前記所定アドレスに記憶されている文書ファイルについての転送要求を送信する文書ファイル転送要求送信手段と、前記サーバコンピュータから、前記原稿を読み取る際に前記所定アドレスに記憶されている文書ファイルを受信する文書ファイル受信手段と、前記原稿を読み取る際に前記所定アドレスに記憶されている文書ファイルとして、前記サーバコンピュータから受信した文書ファイルから、第２の画像データを生成する画像データ生成手段と、前記読み取り画像データが縮小画像原稿を読み取って得られたものである場合に前記第２の画像データに対応する画像を画像形成する第２の画像形成手段と、を有することを特徴とする画像処理装置。
【００１３】
（ｆ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る原稿読取手段と、前記読み取り画像データがカラーであるかモノクロであるかを判別するカラー／モノクロ判別手段と、前記読み取り画像データがカラーである場合に前記読み取り画像データに対応する画像をカラーで画像形成する第１の画像形成手段と、前記読み取り画像データ中から前記所定アドレスを抽出するアドレス抽出手段と、前記アドレス抽出手段によって前記読み取り画像データ中から抽出された前記所定アドレスに基づいて、前記サーバコンピュータに対し、前記原稿を読み取る際に前記所定アドレスに記憶されている文書ファイルについての転送要求を送信する文書ファイル転送要求送信手段と、前記サーバコンピュータから、前記原稿を読み取る際に前記所定アドレスに記憶されている文書ファイルを受信する文書ファイル受信手段と、前記原稿を読み取る際に前記所定アドレスに記憶されている文書ファイルとして、前記サーバコンピュータから受信した文書ファイルから第２の画像データを生成する画像データ生成手段と、前記読み取り画像データがモノクロである場合に前記第２の画像データに対応する画像をカラーで画像形成する第２の画像形成手段と、を有することを特徴とする画像処理装置。
【００１４】
（ｇ）  ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日付の記載が付加されている原稿を読み取って、読み取り画像データを得る段階（１）と、前記読み取り画像データ中から前記所定アドレスを抽出する段階（２）と、前記読み取り画像データ中から前記印刷日付を抽出する段階（３）と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記段階（２）および前記段階（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する段階（４）と、前記第２の文書ファイルから第２の画像データを生成する段階（５）と、前記第２の画像データに対応する画像を画像形成する段階（６）と、を有し、前記段階（１）乃至段階（６）は画像処理装置によって実行される、ことを特徴とする画像処理方法。
【００１５】
（ｈ）  ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日付の記載が付加されている原稿を読み取って、読み取り画像データを得る手順（１）と、前記読み取り画像データ中から前記所定アドレスを抽出する手順（２）と、前記読み取り画像データ中から前記印刷日時を抽出する手順（３）と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記手順（２）および前記手順（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する手順（４）と、前記第２の文書ファイルから第２の画像データを生成する手順（５）と、前記第２の画像データに対応する画像を画像形成する手順（６）と、を画像処理装置に実行させることを特徴とする画像処理プログラム。
【００１６】
（ｉ）  前記（ｈ）に記載の画像処理プログラムを記録したコンピュータ読取可能な記録媒体。
（ｊ）  ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日付の記載が付加されている原稿を読み取って、読み取り画像データを得る原稿読取手段と、前記読み取り画像データ中から前記所定アドレスを抽出するアドレス抽出手段と、前記読み取り画像データ中から前記印刷日付を抽出する印刷日付抽出手段と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納する文書ファイル格納手段と、前記アドレス抽出手段および前記印刷日付抽出手段によって前記読み取り画像データ中から抽出された所定アドレスおよび印刷日時の情報に基づいて、前記文書ファイル格納手段中の複数の文書ファイルの中から、当該所定アドレスと同じＷｅｂ上のアドレスに記憶されていたものであって前記受信日時が前記印刷日時よりも遅いファイルである第２の文書ファイルを検索する文書ファイル検索手段と、前記第２の文書ファイルから第２の画像データを生成する第２の画像データ生成手段と、前記第２の画像データに対応する画像を他の機器に画像形成させるために、当該第２の画像データを他の機器に送信する画像データ送信手段と、を有することを特徴とする画像処理装置。
（ｋ）  前記アドレス抽出手段によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する文書ファイル転送要求送信手段と、前記サーバコンピュータから、前記第３の文書ファイルを受信する文書ファイル受信手段と、前記第３の文書ファイルから第３の画像データを生成する第３の画像データ生成手段とをさらに有し、前記画像データ送信手段は、前記文書ファイル検索手段が第２の文書ファイルを検出しなかった場合に、前記第３の画像データに対応する画像を他の機器に画像形成させるために、当該第３の画像データを他の機器に送信することを特徴とする、前記（ｊ）に記載の画像処理装置。
（ｌ）  前記画像データ送信手段は、前記文書ファイル検索手段が第２の文書ファイルを検出しなかった場合に、前記読み取り画像データに対応する画像を画像形成させるために、当該読み取り画像データを他の機器に送信することを特徴とする、前記（ｊ）に記載の画像処理装置。
（ｍ）  ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る原稿読取手段と、前記読み取り画像データ中から前記所定アドレスを抽出するアドレス抽出手段と、前記読み取り画像データ中から前記印刷日付を抽出する印刷日付抽出手段と、ネットワーク上のサーバコンピュータから受信した文書ファイルと、各文書ファイルが記憶されていたＷｅｂ上の各アドレスと、サーバコンピュータから各文書ファイルが受信された各受信日時と、を相互に関連づけて格納する文書ファイル格納手段と、前記アドレス抽出手段および前記印刷日付抽出手段によって前記読み取り画像データ中から抽出された所定アドレスおよび印刷日時の情報に基づいて、前記文書ファイル格納手段中の複数の文書ファイルの中から、当該所定アドレスと同じＷｅｂ上のアドレスに記憶されていたものであって前記受信日時が前記印刷日時よりも遅いファイルである第２の文書ファイルを検索する文書ファイル検索手段と、前記第２の文書ファイルから第２の画像データを生成する第２の画像データ生成手段と、前記アドレス抽出手段によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する文書ファイル転送要求送信手段と、前記サーバコンピュータから、前記第３の文書ファイルを受信する文書ファイル受信手段と、前記第３の文書ファイルから第３の画像データを生成する第３の画像データ生成手段と、画像データ出力モードが画質優先モードであるか速度優先モードであるかの設定入力を受け付ける画像データ出力モード設定入力手段と、設定入力を受け付けた前記画像データ出力モードが画質優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記第３の画像データに対応する画像を他の機器に画像形成させるために当該第３の画像データを、他の機器に送信する第１の画像データ送信手段と、設定入力を受け付けた前記画像データ出力モードが速度優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記読み取り画像データに対応する画像を他の機器に画像形成させるために当該読み取り画像データを他の機器に送信する第２の画像データ送信手段と、を有することを特徴とする画像処理装置。
（ｎ）  ネットワーク上でサーバコンピュータにより公開されたており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る原稿読取手段と、前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する縮小画像原稿判別手段と、前記読み取り画像データが縮小画像原稿を読み取って得られたものでない場合に前記読み取り画像データに対応する画像を他の機器に画像形成させるために、当該読み取り画像データを他の機器に送信する第１の画像データ送信手段と、前記読み取り画像データ中から前記所定アドレスを抽出するアドレス抽出手段と、前記アドレス抽出手段によって前記読み取り画像データ中から抽出された前記所定アドレスに基づいて、前記サーバコンピュータに対し、前記原稿を読み取る際に前記所定アドレスに記憶されている文書ファイルについての転送要求を送信する文書ファイル転送要求送信手段と、前記サーバコンピュータから、前記原稿を読み取る際に前記所定アドレスに記憶されている文書ファイルを受信する文書ファイル受信手段と、前記原稿を読み取る際に前記所定アドレスに記憶されている文書ファイルとして、前記サーバコンピュータから受信した文書ファイルから、第２の画像データを生成する画像データ生成手段と、前記読み取り画像データが縮小画像原稿を読み取って得られたものである場合に前記第２の画像データに対応する画像を他の機器に画像形成させるために、当該第２の画像データを他の機器に送信する第２の画像データ送信手段と、を有することを特徴とする画像処理装置。
（ｏ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る原稿読取手段と、前記読み取り画像データがカラーであるかモノクロであるかを判別するカラー／モノクロ判別手段と、前記読み取り画像データがカラーである場合に前記読み取り画像データに対応する画像を他の機器にカラーで画像形成させるために、当該読み取り画像データを前記他の機器に送信する第１の画像データ送信手段と、前記読み取り画像データ中から前記所定アドレスを抽出するアドレス抽出手段と、前記アドレス抽出手段によって前記読み取り画像データ中から抽出された前記所定アドレスに基づいて、前記サーバコンピュータに対し、前記原稿を読み取る際に前記所定アドレスに記憶されている文書ファイルについての転送要求を送信する文書ファイル転送要求送信手段と、前記サーバコンピュータから、前記原稿を読み取る際に前記所定アドレスに記憶されている文書ファイルを受信する文書ファイル受信手段と、前記原稿を読み取る際に前記所定アドレスに記憶されている文書ファイルとして、前記サーバコンピュータから受信した文書ファイルから、第２の画像データを生成する画像データ生成手段と、前記読み取り画像データがモノクロである場合に、モノクロで画像形成する機器には、前記読み取り画像データに対応する画像を画像形成させるために当該読み取り画像データを、カラーで画像形成する機器には、前記第２の画像データに対応する画像を画像形成させるために、当該第２の画像データをそれぞれ送信する第２の画像データ送信手段と、を有することを特徴とする画像処理装置。
（ｐ）  前記段階（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する段階（７）と、前記サーバコンピュータから、前記第３の文書ファイルを受信する段階（８）と、前記第３の文書ファイルから第３の画像データを生成する段階（９）とをさらに有し、前記段階（７）乃至段階（９）は画像処理装置によって実行され
前記段階（６）は、前記段階（４）で第２の文書ファイルを検出しなかった場合に前記第３の画像データに対応する画像を画像形成することを特徴とする、前記（ｇ）に記載の画像形成方法。
（ｑ）  前記段階（６）は、前記段階（４）で第２の文書ファイルを検出しなかった場合に前記読み取り画像データに対応する画像を画像形成することを特徴とする、前記（ｇ）に記載の画像形成方法。
（ｒ）  ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る段階（１）と、前記読み取り画像データ中から前記所定アドレスを抽出する段階（２）と、前記読み取り画像データ中から前記印刷日付を抽出する段階（３）と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記段階（２）および前記段階（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する段階（４）と、前記第２の文書ファイルから第２の画像データを生成する段階（５）と、前記段階（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する段階（６）と、前記サーバコンピュータから、前記第３の文書ファイルを受信する段階（７）と、前記第３の文書ファイルから第３の画像データを生成する段階（８）と、画像データ出力モードが画質優先モードであるか速度優先モードであるかの設定入力を受け付ける段階（９）と、設定入力を受け付けた前記画像データ出力モードが画質優先モードである場合に、前記文書ファイル検索手段が第２の文書ファイルを検出した場合には前記第２の画像データに対応する画像を、前記文書ファイル検索手段が第２の文書ファイルを検出しなかった場合には前記第３の画像データに対応する画像を画像形成する段階（１０）と、設定入力を受け付けた前記画像データ出力モードが速度優先モードである場合に、前記文書ファイル検索手段が第２の文書ファイルを検出した場合には前記第２の画像データに対応する画像を、前記文書ファイル検索手段が第２の文書ファイルを検出しなかった場合には前記読み取り画像データに対応する画像を画像形成する段階（１１）と、を有し、前記段階（１）乃至段階（１１）は画像処理装置によって実行される、ことを特徴とする画像処理方法。
（ｓ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、前記読み取り画像データ中から前記所定アドレスを抽出する段階（２）と、前記読み取り画像データ中から前記印刷日付を抽出する段階（３）と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記段階（２）および前記段階（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する段階（４）と、前記第２の文書ファイルから第２の画像データを生成する段階（５）と、前記第２の画像データの画像を他の機器に画像形成させるために当該第２の画像データを他の機器に送信する段階（６）と、を有し、前記段階（１）乃至段階（６）は画像処理装置によって実行される、ことを特徴とする画像処理方法。
（ｔ）  前記段階（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する段階（７）と、前記サーバコンピュータから、前記第３の文書ファイルを受信する段階（８）と、前記第３の文書ファイルから第３の画像データを生成する段階（９）とをさらに有し、前記段階（７）乃至段階（９）は画像処理装置によって実行され
前記段階（６）は、前記段階（４）で第２の文書ファイルを検出しなかった場合に前記第３の画像データに対応する画像を他の機器に画像形成させるために当該第３の画像データを他の機器に送信することを特徴とする、前記（ｓ）に記載の画像形成方法。
（ｕ）  前記段階（６）は、前記段階（４）で第２の文書ファイルを検出しなかった場合に前記読み取り画像データに対応する画像を他の機器に画像形成させるために当該読み取り画像データを他の機器に送信することを特徴とする、前記（ｓ）に記載の画像形成方法。
（ｖ）  ネットワーク上でサーバコンピュータにより公開されおり、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る段階（１）と、前記読み取り画像データ中から前記所定アドレスを抽出する段階（２）と、前記読み取り画像データ中から前記印刷日付を抽出する段階（３）と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記段階（２）および前記段階（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する段階（４）と、前記第２の文書ファイルから第２の画像データを生成する段階（５）と、前記段階（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する段階（６）と、前記サーバコンピュータから、前記第３の文書ファイルを受信する段階（７）と、前記第３の文書ファイルから第３の画像データを生成する段階（８）と、画像データ出力モードが画質優先モードであるか速度優先モードであるかの設定入力を受け付ける段階（９）と、設定入力を受け付けた前記画像データ出力モードが画質優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記第３の画像データに対応する画像を他の機器に画像形成させるために当該第３の画像データを、他の機器に送信する段階（１０）と、設定入力を受け付けた前記画像データ出力モードが速度優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記読み取り画像データに対応する画像を他の機器に画像形成させるために当該読み取り画像データを、他の機器に送信する段階（１１）と、を有し、前記段階（１）乃至段階（１１）は画像処理装置によって実行される、ことを特徴とする画像処理方法。
（ｗ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する段階（２）と、前記読み取り画像データが縮小画像原稿を読み取って得られたものでない場合に前記読み取り画像データに対応する画像を画像形成する段階（３）と、前記読み取り画像データ中から前記所定アドレスを抽出する段階（４）と、前記段階（４）によって前記読み取り画像データ中から抽出された前記所定アドレスに基づいて、前記サーバコンピュータに対し、前記原稿を読み取る際に前記所定アドレスに記憶されている文書ファイルについての転送要求を送信する段階（５）と、前記サーバコンピュータから、前記原稿を読み取る際に前記所定アドレスに記憶されている文書ファイルを受信する段階（６）と、前記原稿を読み取る際に前記所定アドレスに記憶されている文書ファイルとして、前記サーバコンピュータから受信した文書ファイルから、第２の画像データを生成する段階（７）と、前記読み取り画像データが縮小画像原稿を読み取って得られたものである場合に前記第２の画像データに対応する画像を画像形成する段階（８）と、を有し、前記段階（１）乃至段階（８）は画像処理装置によって実行される、ことを特徴とする画像処理方法。
（ｘ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する段階（２）と、前記第１の画像データが縮小画像原稿を読み取って得られたものでない場合に前記読み取り画像データに対応する画像を他の機器に画像形成させるために、当該読み取り画像データを他の機器に送信する段階（３）と、前記読み取り画像データ中から前記所定アドレスを抽出する段階（４）と、前記段階（４）によって前記読み取り画像データ中から抽出された前記所定アドレスに基づいて、前記サーバコンピュータに対し、前記原稿を読み取る際に前記所定アドレスに記憶されている文書ファイルについての転送要求を送信する段階（５）と、前記サーバコンピュータから、前記原稿を読み取る際に前記所定アドレスに記憶されている文書ファイルを受信する段階（６）と、前記原稿を読み取る際に前記所定アドレスに記憶されている文書ファイルとして、前記サーバコンピュータから受信した文書ファイルから、第２の画像データを生成する段階（７）と、前記読み取り画像データが縮小画像原稿を読み取って得られたものである場合に前記第２の画像データに対応する画像を他の機器に画像形成させるために、当該第２の画像データを他の機器に送信する段階（８）と、を有し、前記段階（１）乃至段階（８）は画像処理装置によって実行される、ことを特徴とする画像処理方法。
（ｙ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、前記読み取り画像データがカラーであるかモノクロであるかを判別する段階（２）と、前記読み取り画像データがカラーである場合に前記読み取り画像データに対応する画像をカラーで画像形成する段階（３）と、前記読み取り画像データ中から前記所定アドレスを抽出する段階（４）と、前記段階（４）において前記読み取り画像データ中から抽出された前記所定アドレスに基づいて、前記サーバコンピュータに対し、前記原稿を読み取る際に前記所定アドレスに記憶されている文書ファイルについての転送要求を送信する段階（５）と、前記サーバコンピュータから、前記原稿を読み取る際に前記所定アドレスに記憶されている文書ファイルを受信する段階（６）と、前記原稿を読み取る際に前記所定アドレスに記憶されている文書ファイルとして、前記サーバコンピュータから受信した文書ファイルから第２の画像データを生成する段階（７）と、前記読み取り画像データがモノクロである場合に、前記第２の画像データに対応する画像をカラーで画像形成する段階（８）と、を有し、前記段階（１）乃至段階（８）は画像処理装置によって実行される、ことを特徴とする画像処理方法。
（ｚ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る段階（１）と、前記読み取り画像データがカラーであるかモノクロであるかを判別する段階（２）と、前記読み取り画像データがカラーである場合に前記読み取り画像データに対応する画像を他の機器に画像形成させるために、当該読み取り画像データを前記他の機器に送信する段階（３）と、前記読み取り画像データ中から前記所定アドレスを抽出する段階（４）と、前記段階（４）において前記読み取り画像データ中から抽出された前記所定アドレスに基づいて、前記サーバコンピュータに対し、前記原稿を読み取る際に前記所定アドレスに記憶されている文書ファイルについての転送要求を送信する段階（５）と、前記サーバコンピュータから、前記原稿を読み取る際に前記所定アドレスに記憶されている文書ファイルを受信する段階（６）と、前記原稿を読み取る際に前記所定アドレスに記憶されている文書ファイルとして、前記サーバコンピュータから受信した文書ファイルから第２の画像データを生成する段階（７）と、前記読み取り画像データがモノクロである場合に、モノクロで画像形成する機器には、前記読み取り画像データに対応する画像を画像形成させるために当該読み取り画像データを、カラーで画像形成する機器には、前記第２の画像データに対応する画像を画像形成させるために、当該第２の画像データをそれぞれ送信する段階（８）と、を有し、前記段階（１）乃至段階（８）は画像処理装置によって実行される、ことを特徴とする画像処理方法。
（ａａ）  前記手順（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する手順（７）と、前記サーバコンピュータから、前記第３の文書ファイルを受信する手順（８）と、前記第３の文書ファイルから第３の画像データを生成する手順（９）とをさらに画像処理装置に実行させ、前記手順（６）は、前記手順（４）で第２の文書ファイルを検出しなかった場合に前記第３の画像データに対応する画像を画像形成することを特徴とする、前記（ｈ）に記載の画像処理プログラム。
（ａｂ）  前記手順（６）は、前記手順（４）で第２の文書ファイルを検出しなかった場合に前記読み取り画像データに対応する画像を画像形成することを特徴とする、前記（ｈ）に記載の画像処理プログラム。
（ａｃ）  ネットワーク上でサーバコンピュータにより公開されており、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る手順（１）と、前記読み取り画像データ中から前記所定アドレスを抽出する手順（２）と、前記読み取り画像データ中から前記印刷日付を抽出する手順（３）と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記手順（２）および前記手順（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する手順（４）と、前記第２の文書ファイルから第２の画像データを生成する手順（５）と、前記手順（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する手順（６）と、前記サーバコンピュータから、前記第３の文書ファイルを受信する手順（７）と、前記第３の文書ファイルから第３の画像データを生成する手順（８）と、画像データ出力モードが画質優先モードであるか速度優先モードであるかの設定入力を受け付ける手順（９）と、設定入力を受け付けた前記画像データ出力モードが画質優先モードである場合に、前記文書ファイル検索手段が第２の文書ファイルを検出した場合には前記第２の画像データに対応する画像を、前記文書ファイル検索手段が第２の文書ファイルを検出しなかった場合には前記第３の画像データに対応する画像を画像形成する手順（１０）と、設定入力を受け付けた前記画像データ出力モードが速度優先モードである場合に、前記文書ファイル検索手段が第２の文書ファイルを検出した場合には前記第２の画像データに対応する画像を、前記文書ファイル検索手段が第２の文書ファイルを検出しなかった場合には前記読み取り画像データに対応する画像を画像形成する手順（１１）と、を画像処理装置に実行させることを特徴とする画像処理プログラム。
（ａｄ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、前記読み取り画像データ中から前記所定アドレスを抽出する手順（２）と、前記読み取り画像データ中から前記印刷日付を抽出する手順（３）と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記手順（２）および前記手順（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する手順（４）と、前記第２の文書ファイルから第２の画像データを生成する手順（５）と、前記第２の画像データの画像を他の機器に画像形成させるために当該第２の画像データを他の機器に送信する手順（６）と、を画像処理装置に実行させることを特徴とする画像処理プログラム。
（ａｅ）  前記手順（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する手順（７）と、前記サーバコンピュータから、前記第３の文書ファイルを受信する手順（８）と、前記第３の文書ファイルから第３の画像データを生成する手順（９）とをさらに画像処理装置に実行させ、前記手順（６）は、前記手順（４）で第２の文書ファイルを検出しなかった場合に前記第３の画像データに対応する画像を他の機器に画像形成させるために当該第３の画像データを他の機器に送信することを特徴とする、前記（ａｄ）に記載の画像処理プログラム。
（ａｆ）  前記手順（６）は、前記手順（４）で第２の文書ファイルを検出しなかった場合に前記読み取り画像データに対応する画像を他の機器に画像形成させるために当該読み取り画像データを他の機器に送信することを特徴とする、前記（ａｄ）に記載の画像処理プログラム。
（ａｇ）  ネットワーク上でサーバコンピュータにより公開されおり、事前印刷の際にＷｅｂ上の所定アドレスに記憶されていた第１の文書ファイルに基づいて当該事前印刷された印刷物であって印刷面の所定領域に前記所定アドレスの記載および前記事前印刷の印刷日時が付加されている原稿を読み取って、読み取り画像データを得る手順（１）と、前記読み取り画像データ中から前記所定アドレスを抽出する手順（２）と、前記読み取り画像データ中から前記印刷日付を抽出する手順（３）と、ネットワーク上のサーバコンピュータから受信した複数の文書ファイルと、各文書ファイルが記憶されていたＷｅｂ上の各アドレスと、サーバコンピュータから各文書ファイルが受信された各受信日時と、を相互に関連づけて格納した文書ファイル格納手段中の複数の文書ファイルの中から、前記手順（２）および前記手順（３）によって前記読み取り画像データ中から抽出された所定アドレスおよび印刷日時の情報に基づいて、当該所定アドレスと同じＷｅｂ上のアドレスに記憶されていたものであって前記受信日時が前記印刷日時よりも遅いファイルである第２の文書ファイルを検索する手順（４）と、前記第２の文書ファイルから第２の画像データを生成する手順（５）と、前記手順（２）によって前記読み取り画像データ中から抽出された前記所定アドレスに基づいて、当該所定アドレスに前記原稿を読み取る際に記憶されている第３の文書ファイルを取得するために、前記サーバコンピュータに当該第３の文書ファイルの転送要求を送信する手順（６）と、前記サーバコンピュータから、前記第３の文書ファイルを受信する手順（７）と、前記第３の文書ファイルから第３の画像データを生成する手順（８）と、画像データ出力モードが画質優先モードであるか速度優先モードであるかの設定入力を受け付ける手順（９）と、設定入力を受け付けた前記画像データ出力モードが画質優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記第３の画像データに対応する画像を他の機器に画像形成させるために当該第３の画像データを、他の機器に送信する手順（１０）と、設定入力を受け付けた前記画像データ出力モードが速度優先モードである場合に、前記文書ファイル検索手段が第２の文書ファイルを検出した場合には前記第２の画像データに対応する画像を他の機器に画像形成させるために当該第２の画像データを、前記文書ファイル検索手段が第２の文書ファイルを検出しなかった場合には前記読み取り画像データに対応する画像を他の機器に画像形成させるために当該読み取り画像データを、他の機器に送信する手順（１１）と、を画像処理装置に実行させることを特徴とする画像処理プログラム。
（ａｈ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する手順（２）と、前記読み取り画像データが縮小画像原稿を読み取って得られたものでない場合に前記読み取り画像データに対応する画像を画像形成する手順（３）と、前記読み取り画像データ中から前記所定アドレスを抽出する手順（４）と、前記手順（４）によって前記読み取り画像データ中から抽出された前記所定アドレスに基づいて、前記サーバコンピュータに対し、前記原稿を読み取る際に前記所定アドレスに記憶されている文書ファイルについての転送要求を送信する手順（５）と、前記サーバコンピュータから、前記原稿を読み取る際に前記所定アドレスに記憶されている文書ファイルを受信する手順（６）と、前記原稿を読み取る際に前記所定アドレスに記憶されている文書ファイルとして、前記サーバコンピュータから受信した文書ファイルから、第２の画像データを生成する手順（７）と、前記読み取り画像データが縮小画像原稿を読み取って得られたものである場合に前記第２の画像データに対応する画像を画像形成する手順（８）と、を画像処理装置に実行させることを特徴とする画像処理プログラム。
（ａｉ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、前記読み取り画像データが、前記文書ファイルの複数ページ分の画像データを縮小して１ページに印刷して得られた縮小画像原稿を読み取って得られたものであるか否かを、前記読み取り画像データ中に含まれる空白部の検出または前記読み取り画像データ中に含まれる前記所定アドレスの数またはページ番号の数の検出により、判別する手順（２）と、前記第１の画像データが縮小画像原稿を読み取って得られたものでない場合に前記読み取り画像データに対応する画像を他の機器に画像形成させるために、当該読み取り画像データを他の機器に送信する手順（３）と、前記読み取り画像データ中から前記所定アドレスを抽出する手順（４）と、前記手順（４）によって前記読み取り画像データ中から抽出された前記所定アドレスに基づいて、前記サーバコンピュータに対し、前記原稿を読み取る際に前記所定アドレスに記憶されている文書ファイルについての転送要求を送信する手順（５）と、前記サーバコンピュータから、前記原稿を読み取る際に前記所定アドレスに記憶されている文書ファイルを受信する手順（６）と、前記原稿を読み取る際に前記所定アドレスに記憶されている文書ファイルとして、前記サーバコンピュータから受信した文書ファイルから、第２の画像データを生成する手順（７）と、前記読み取り画像データが縮小画像原稿を読み取って得られたものである場合に前記第２の画像データに対応する画像を他の機器に画像形成させるために、当該第２の画像データを他の機器に送信する手順（８）と、を画像処理装置に実行させることを特徴とする画像処理プログラム。
（ａｊ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、前記読み取り画像データがカラーであるかモノクロであるかを判別する手順（２）と、前記読み取り画像データがカラーである場合に前記読み取り画像データに対応する画像をカラーで画像形成する手順（３）と、前記読み取り画像データ中から前記所定アドレスを抽出する手順（４）と、前記手順（４）において前記読み取り画像データ中から抽出された前記所定アドレスに基づいて、前記サーバコンピュータに対し、前記原稿を読み取る際に前記所定アドレスに記憶されている文書ファイルについての転送要求を送信する手順（５）と、前記サーバコンピュータから、前記原稿を読み取る際に前記所定アドレスに記憶されている文書ファイルを受信する手順（６）と、前記原稿を読み取る際に前記所定アドレスに記憶されている文書ファイルとして、前記サーバコンピュータから受信した文書ファイルから第２の画像データを生成する手順（７）と、前記読み取り画像データがモノクロである場合に、前記第２の画像データに対応する画像をカラーで画像形成する手順（８）と、を画像処理装置に実行させることを特徴とする画像処理プログラム。
（ａｋ）  ネットワーク上でサーバコンピュータにより公開されており、事前印刷の際にＷｅｂ上の所定アドレスに記憶されていた文書ファイルに基づいて当該事前印刷された印刷物であって印刷面の所定領域に前記所定アドレスの記載が付加されている原稿を読み取って、読み取り画像データを得る手順（１）と、前記読み取り画像データがカラーであるかモノクロであるかを判別する手順（２）と、前記読み取り画像データがカラーである場合に前記読み取り画像データに対応する画像を他の機器に画像形成させるために、当該読み取り画像データを前記他の機器に送信する手順（３）と、前記読み取り画像データ中から前記所定アドレスを抽出する手順（４）と、前記手順（４）において前記読み取り画像データ中から抽出された前記所定アドレスに基づいて、前記サーバコンピュータに対し、前記原稿を読み取る際に前記所定アドレスに記憶されている文書ファイルについての転送要求を送信する手順（５）と、前記サーバコンピュータから、前記原稿を読み取る際に前記所定アドレスに記憶されている文書ファイルを受信する手順（６）と、前記原稿を読み取る際に前記所定アドレスに記憶されている文書ファイルとして、前記サーバコンピュータから受信した文書ファイルから第２の画像データを生成する手順（７）と、前記読み取り画像データがモノクロである場合に、モノクロで画像形成する機器には、前記読み取り画像データに対応する画像を画像形成させるために当該読み取り画像データを、カラーで画像形成する機器には、前記第２の画像データに対応する画像を画像形成させるために、当該第２の画像データをそれぞれ送信する手順（８）と、を画像処理装置に実行させることを特徴とする画像処理プログラム。
（ａｌ）  前記（ａａ）〜前記（ａｋ）に記載の画像処理プログラムを記録したコンピュータ読取可能な記録媒体。
【００１７】
【発明の実施の形態】
以下、本発明の実施の形態を、図面を参照して詳細に説明する。
【００１８】
図１は、本発明の第１の実施形態にかかる画像処理装置を含む画像処理システムの全体構成を示すブロック図である。本画像処理システムは、画像処理装置としてのスキャナ１１とＷｅｂサーバ２０とが通信ネットワーク３０を介して相互に接続されてなる。またスキャナ１１はローカルインタフェースを介してプリンタ４０と接続されている。
【００１９】
図２は、本実施形態にかかるスキャナ１１の構成を示すブロック図である。図２において、スキャナ１１は、ＣＰＵ１１１、ＲＯＭ１１２、ＲＡＭ１１３、ハードディスク１１４、操作パネル部１１５、原稿読取部１１６、ローカルインタフェース１１７、およびネットワークインタフェース１１８を備えており、これらは信号を遣り取りするためのバス１１９を介して相互に接続されている。
【００２０】
ＣＰＵ１１１は、プログラムにしたがって上記各部の制御や各種の演算処理等を行う。ＲＡＭ１１３は、作業領域として一時的にプログラムやデータを記憶する。ＲＯＭ１１２は、各種プログラムやパラメータを格納する。ハードディスク１１４は、各種プログラムやパラメータを格納し、または画像処理により得られた画像データ等を一時的に保存するために使用される。本実施形態において、スキャナ１１は後述する所定の動作を行うが、このためのスキャナ１１の動作を制御するプログラムは、ＲＯＭ１１２またはハードディスク１１４に格納されている。
【００２１】
操作パネル部１１５は、各種情報が表示される液晶タッチパネル、動作の開始を指示するスタートキー、動作の停止を指示するストップキー、各種設定条件を初期化するリセットキー等を備えている。
【００２２】
原稿読取部１１６は、所定の読み取り位置にセットされた原稿に蛍光ランプ等の光源で光を当て、その反射光をＣＣＤやＣＩＳ等の受光素子で光電変換して、その電気信号から画像データ（ビットマップデータ）を生成する。原稿読み取り部１１６は、自動原稿搬送装置（ＡＤＦ）を備えていてもよく、これにより複数枚の原稿をＡＤＦにより一枚ずつ所定の読み取り位置まで搬送して順次読み取ることができる。
【００２３】
ローカルインタフェース１１７は、プリンタやパソコン等の他の装置とネットワークを介さないで通信するためのインタフェースであり、ＵＳＢ、ＩＥＥＥ１３９４等のシリアルインタフェース、ＳＣＳＩ等のパラレルインタフェース、Ｂｌｕｅｔｏｏｔｈ（ブルートゥース）、ＩＥＥＥ８０２.１１、ＨｏｍｅＲＦ、ＩｒＤＡ等の無線通信インタフェース等を使用することができる。
【００２４】
ネットワークインタフェース１１８は、ネットワークに接続しネットワーク上の他の機器と通信するためのインタフェースであり、イーサネット（登録商標）、トークンリング、ＦＤＤＩ等の規格が用いられる。
【００２５】
Ｗｅｂサーバ２０は、ＷＷＷサーバ機能を有するコンピュータである。Ｗｅｂサーバ２０は、ＷＷＷデータベースとしてネットワーク上でＨＴＭＬ形式による文書ファイルを公開し、クライアントからの要求に応じてＨＴＭＬファイルを転送する機能を有する。
【００２６】
通信ネットワーク３０は、電話網、ＩＳＤＮ、パケット交換網等の公衆網、およびＬＡＮ、ＷＡＮ、インターネット等のコンピュータネットワークを含むものである。
【００２７】
プリンタ４０は、印刷イメージ（ビットマップデータ）の印刷出力を行う。
【００２８】
図３は、本実施形態におけるスキャナ１１の画像処理の手順を示すフローチャートである。図３において、まず、スキャナ１１は、操作パネル部１１５のタッチパネルに画像データ出力モードの設定入力画面を表示し（Ｓ１０１）、ユーザから画像データ出力モードの設定入力があるまで待機する（Ｓ１０２のＮＯ）。図４は、操作パネル部１１５のタッチパネルに表示する画像データ出力モードの設定入力画面の一例を示すものである。本実施形態においては、スキャナ１１は、「原稿画像」モード、「最新画像」モード、「画質優先」モードおよび「速度優先」モードの４つの画像データ出力モードを有している。すなわち、Ｗｅｂページの印刷物である原稿に対し、「原稿画像」モードでは原稿画像データをそのまま出力し、「最新画像」モードでは、Ｗｅｂサーバ２０からダウンロードした最新のＨＴＭＬファイルから得られたＷｅｂページ画像データを出力する。また、「画質優先」モードでは、既にＷｅｂページからダウンロードしハードディスク内に保存しているＨＴＭＬファイルがある場合は当該ＨＴＭＬファイルから得られたＷｅｂページ画像データ、当該ＨＴＭＬファイルがない場合はＷｅｂページから新たにダウンロードしたＨＴＭＬファイルから得られたＷｅｂページ画像データを出力するものであり、ＨＴＭＬファイルから得られた画像データを用いることにより原稿画像データより画質の良い画像データを出力して画質を優先するものである。「速度優先」モードでは、既にＷｅｂページからダウンロードしハードディスク内に保存しているＨＴＭＬファイルがある場合は当該ＨＴＭＬファイルから得られたＷｅｂページ画像データ、当該ＨＴＭＬファイルがない場合は原稿画像データを出力するものであり、ＷｅｂページからのＨＴＭＬファイルの新たなダウンロードを行わないことにより速度を優先するものである。図４において、画像データ出力モード設定入力画面５０には、これらの画像データ出力モードをユーザに選択させるための仮想ボタンが表示されており、ユーザはこれらのボタンを押すことにより上記画像データ出力モードを設定することができる。
【００２９】
スキャナ１１は、ユーザから画像データ出力モードの設定入力を受け付けると（Ｓ１０２のＹＥＳ）、ついでユーザから画像読み取り開始命令があるまで待機する（Ｓ１０３のＮＯ）。ユーザは、Ｗｅｂページを印刷した原稿を原稿台の所定の位置にセットし、操作パネル１１５からその他の必要な読み取り条件を設定してから操作パネル１１５のスタートキーを押す。スキャナ１１は、ユーザから読み取り開始命令の入力を受け付けると（Ｓ１０３のＹＥＳ）、セットされた原稿を読み取って画像データを取得し（Ｓ１０４）、得られた原稿画像データをハードディスク１１４に保存する（Ｓ１０５）。ついで、画像データ出力モードの設定入力受付の手順（Ｓ１０２）でユーザから設定入力を受け付けた画像データ出力モードごとに異なった画像データ送信処理を行う（Ｓ１０６）。
【００３０】
図５は、図３におけるスキャナ１１の画像データ送信処理の手順を示すフローチャートである。図５において、スキャナ１１は、ユーザから受け付けた画像データ出力モードが「原稿画像」モードである場合（Ｓ２０１のＹＥＳ）、ハードディスク１１４に保存した原稿画像データをＲＡＭ１１３に読み出し（Ｓ２０２）、読み出した原稿画像データをローカルインタフェース１１７またはネットワークインタフェース１１８を介してプリンタ４０等の外部機器に送信する（Ｓ２０３）。これにより、「原稿画像」モードでは、原稿に手書きの付加情報がある場合等に原稿と同一の再現性を持った画像データを出力することができる。
【００３１】
一方、ユーザから受け付けた画像データ出力モードが「画質優先」モードである場合（Ｓ２０１のＮＯ、Ｓ２０６のＮＯおよびＳ２１３のＹＥＳ）、まず、原稿画像データの所定領域を対象に文字認識を行う（Ｓ２０４）。図６は、本実施形態におけるＷｅｂページを印刷した原稿の一例を示す図である。このように、Ｗｅｂページを印刷して得られた原稿６１の所定の領域、たとえばヘッダやフッタ等には、ＷｅｂページのＵＲＬおよび当該Ｗｅｂページを印刷した日付が含まれている。かかる場合、ＵＲＬ等の表示される領域は決まっているため、文字認識の対象をかかる領域に限定することができ、文字認識処理の効率を上げることができる。文字認識の方法としては、たとえば各文字画像の特微量と予め記憶されている辞書パターンとの一致の度合いに基づいて判別する方法等を用いることができる。
【００３２】
前記文字認識処理によりＵＲＬおよび印刷日付が認識されなかった場合は（Ｓ２０５のＮＯ）、「原稿画像」モードの場合と同様に、ハードディスク１１４から原稿画像データを読み出し（Ｓ２０２）、原稿画像データをプリンタ４０等の外部機器に送信する（Ｓ２０３）。
【００３３】
前記文字認識処理によりＵＲＬおよび印刷日付が認識された場合は（Ｓ２０５のＹＥＳ）、ハードディスク１１４に保存されているＨＴＭＬファイル受信リストをＲＡＭ１１３に読み出し、認識したＵＲＬおよび印刷日付に基づいて、前記ＵＲＬにかかるＨＴＭＬファイルであって前記印刷日付以後に受信したもの、すなわち原稿より新しいＨＴＭＬファイルをＨＴＭＬファイル受信リストから検索する（Ｓ２０７）。図７は、スキャナ１１におけるＨＴＭＬファイル受信リストの一例を示したものである。ＨＴＭＬファイル受信リスト７０には、スキャナ１１が通信ネットワーク３０上のＷｅｂサーバから受信したＨＴＭＬファイルのファイル名、ＵＲＬ、ハードディスクの保存先ディレクトリ、受信日等が一覧として記録されている。原稿より新しいＨＴＭＬファイルをＨＴＭＬファイル受信リストから検出した場合は（Ｓ２０８のＹＥＳ）、ＨＴＭＬファイル受信リストの保存先ディレクトリに従ってハードディスク１１４から該当するＨＴＭＬファイルをＲＡＭ１１３に読み出す（Ｓ２０９）。ついで、読み出したＨＴＭＬファイルを解析し（Ｓ２１０）、さらにハードディスク１１４からリンクファイルを読み出してＷｅｂページの画像データを生成する（Ｓ２１１）。そして、生成したＷｅｂページ画像データをローカルインタフェース１１７またはネットワークインタフェース１１８を介してプリンタ４０等の外部機器に送信する（Ｓ２１２）。
【００３４】
一方、スキャナ１１は、原稿より新しいＨＴＭＬファイルをＨＴＭＬファイル受信リストから検出しなかった場合は（Ｓ２０８のＮＯ）、文字認識の手順（Ｓ２０４）で認識されたＵＲＬで示されるＷｅｂページにかかるＷｅｂサーバ２０に、ネットワークインタフェース１１８および通信ネットワーク３０を介して、ＨＴＭＬファイルの転送要求を送信する（Ｓ２１４）。ついで、Ｗｅｂサーバ２０からＨＴＭＬファイルを受信するまで待機し（Ｓ２１５のＮＯ）、Ｗｅｂサーバ２０から通信ネットワーク３０およびネットワークインタフェース１１８を介してＨＴＭＬファイルを受信すると（Ｓ２１５のＹＥＳ）、受信したＨＴＭＬファイルをハードディスク１１４の所定のディレクトリに保存し（Ｓ２１６）、ＨＴＭＬファイル受信リストを更新する。つぎに、受信したＨＴＭＬファイルを解析し（Ｓ２１７）、さらにＷｅｂサーバ２０にリンクファイルの転送要求を送信してリンクファイルを受信することによりＷｅｂページの画像データを生成する（Ｓ２１８）。そして、生成したＷｅｂページ画像データをローカルインタフェース１１７を介してプリンタ４０に送信する（Ｓ２１９）。
【００３５】
このように、「画質優先」モードによれば、常にＨＴＭＬファイルから得られた画像データを用いることにより画質の良い画像データを出力しつつも、既にＷｅｂページからダウンロードしハードディスク内に保存しているＨＴＭＬファイルがある場合は当該ＨＴＭＬファイルを利用することにより、出力速度の向上をも図れるものである。
【００３６】
また、ユーザから受け付けた画像データ出力モードが「速度優先」モードである場合（Ｓ２０１のＮＯ、Ｓ２０６のＮＯおよびＳ２１３のＮＯ）、「画像優先」モードのステップＳ２０４〜Ｓ２１２の手順と同様にして、まず、原稿画像データの所定領域を対象に文字認識を行い（Ｓ２０４）、ＵＲＬおよび印刷日付が認識された場合は（Ｓ２０５のＹＥＳ）、ＨＴＭＬファイル受信リストから認識したＵＲＬおよび印刷日付に基づいて原稿より新しいＨＴＭＬファイルを検索する（Ｓ２０７）。原稿より新しいＨＴＭＬファイルをＨＴＭＬファイル受信リストから検出した場合は（Ｓ２０８のＹＥＳ）、ハードディスク１１４から該当するＨＴＭＬファイルを読み出し（Ｓ２０９）、ＨＴＭＬファイルを解析して（Ｓ２１０）Ｗｅｂページの画像データを生成し（Ｓ２１１）、プリンタ４０に送信する（Ｓ２１２）。
【００３７】
一方、原稿より新しいＨＴＭＬファイルをＨＴＭＬファイル受信リストから検出しなかった場合は（Ｓ２０８のＮＯ）、「原稿画像」モードの手順と同様に、ハードディスク１１４から原稿画像データを読み出し（Ｓ２０２）、プリンタ４０に送信する（Ｓ２０３）。
【００３８】
このように、「速度優先」モードでは、ＷｅｂページからのＨＴＭＬファイルの新たなダウンロードを行わず出力速度を優先しつつも、既にＷｅｂページからダウンロードしハードディスク内に保存しているＨＴＭＬファイルがある場合は当該ＨＴＭＬファイルを利用することにより、画質の向上をも図れるものである。
【００３９】
さらに、ユーザから受け付けた画像データ出力モードが「最新画像」モードである場合は（Ｓ２０１のＮＯおよびＳ２０６のＹＥＳ）、「画像優先」モードのステップＳ２１４〜Ｓ２１９の手順と同様にして、認識されたＵＲＬで示されるＷｅｂページにかかるＷｅｂサーバ２０にＨＴＭＬファイルの転送要求を送信し（Ｓ２１４）、Ｗｅｂサーバ２０からＨＴＭＬファイルを受信すると（Ｓ２１５のＹＥＳ）、受信したＨＴＭＬファイルをハードディスク１１４の所定のディレクトリに保存し（Ｓ２１６）、ＨＴＭＬファイル受信リストを更新する。そして、受信したＨＴＭＬファイルを解析し（Ｓ２１７）Ｗｅｂページの画像データを生成して（Ｓ２１８）、プリンタ４０に送信する（Ｓ２１９）。これにより、「最新画像」モードでは、常にＷｅｂページから新たにダウンロードしたＨＴＭＬファイルを利用してＷｅｂページ画像データを出力するので、最新のＷｅｂページ画像によるＷｅｂページの印刷物を出力することができる。
【００４０】
本実施形態では、画像処理装置としてスキャナを例にして説明したが、画像処理装置としてはスキャナに限定されるものではなく、例えば、画像読み取り機能および画像形成機能を有するデジタル複写機等の多機能周辺機器（ＭＦＰ）であってもよい。この場合、上記外部機器への画像データ送信の手順（Ｓ２０３、Ｓ２１２およびＳ２１９）において、画像データをプリンタ等の外部機器に送信する代わりに、当該画像データを画像形成して出力する手順とすることができる。
【００４１】
図８は、本発明の第２の実施形態にかかる画像処理装置を含む画像処理システムの全体構成を示すブロック図である。本画像処理システムは、画像処理装置としてのデジタル複写機１２とＷｅｂサーバ２０とが通信ネットワーク３０を介して相互に接続されてなる。
【００４２】
図９は、本実施形態にかかるデジタル複写機１２の構成を示すブロック図である。図９において、デジタル複写機１２は、ＣＰＵ１２１、ＲＯＭ１２２、ＲＡＭ１２３、ハードディスク１２４、操作パネル部１２５、原稿読取部１２６、ネットワークインタフェース１２８、およびバス１２９を有し、これら各部は第１の実施形態にかかるスキャナ１１におけるものと同様の機能を有する。さらに、本実施形態において、デジタル複写機１２は印刷部１２７を備えており、印刷部１２７は、画像処理後の画像データを設定条件に従って印刷する。
【００４３】
また、本実施形態においては、第１の実施形態におけるスキャナ１１と同様にして、デジタル複写機１２はＷｅｂサーバ２０と通信ネットワーク３０を介して相互に接続されている。
【００４４】
図１０は、本実施形態におけるデジタル複写機１２の画像処理の手順を示すフローチャートである。図１０において、デジタル複写機１２は、まず、ユーザから原稿読み取り開始命令があるまで待機する（Ｓ３０１のＮＯ）。ユーザは、Ｗｅｂページを印刷した原稿を原稿台の所定の位置にセットし、操作パネル１２５からコピー枚数、用紙サイズ、倍率、濃度、片面・両面コピー、ソート、仕上げ機能等の必要なコピー条件を設定してスタートキーを押す。デジタル複写機１２は、ユーザから読み取り開始命令の入力を受け付けると（Ｓ３０１のＹＥＳ）、セットされた原稿を読み取って画像データを取得し（Ｓ３０２）、得られた原稿画像データをハードディスク１２４に保存する（Ｓ３０３）。
【００４５】
つぎに、得られた原稿画像データが、Ｎｉｎ１原稿、すなわちＷｅｂページにかかるＨＴＭＬファイルの複数ページ分の画像データ（通常条件で等倍で印刷して印刷用紙複数ページになる画像データ）を縮小して１ページに印刷して得られた縮小画像原稿にかかるものであるか否かを判別する（Ｓ３０４）。図１１は、ＷｅｂページにかかるＨＴＭＬファイルをＮｉｎ１（２ｉｎ１）で印刷した原稿の一例を示したものである。図１１において、原稿６２は、テキスト６２１および図形または写真６２２から構成されるＷｅｂページの画像であって、当該ＷｅｂページにかかるＨＴＭＬファイルを等倍で通常印刷した場合に印刷用紙の２ページ分にあたる画像６２ａおよび６２ｂが縮小されて印刷用紙１ページに印刷されてなるものである。読み込んだ原稿画像データがＮｉｎ１原稿にかかるものであるか否かを判別する方法としては、画像の空白部を検出し当該空白部で区切られるブロック数をＮｉｎ１原稿画像のＮ値とする方法が挙げられる。すなわち、図１２に示すように、原稿画像の長辺方向のライン８１ごとのピクセル値を積分して求められるヒストグラム８２１と、短辺方向のライン８２ごとのピクセル値を積分して求められるヒストグラム８１１から空白部を検出し、検出した空白部からブロック数Ｎを求めてＮｉｎ１原稿画像であると判断する。図１２の例では、原稿６２の画像データは、ヒストグラム８１１に１つの空白部を有するので（ヒストグラムが２つに分割しているので）２個のブロックで構成される画像であることがわかり、２ｉｎ１の原稿画像であると判別するものである。また、上記の判別方法以外にも、Ｎｉｎ１原稿では、図１１に示すように原稿中に複数（Ｎ個）のＵＲＬ６２３やページ番号６２４が表示されるので、読み取った原稿画像データに対して文字認識処理を行い、複数（Ｎ個）のＵＲＬやページ番号を認識した場合はＮｉｎ１原稿と判別する方法等を用いても構わない。
【００４６】
デジタル複写機１２は、取得した原稿画像データがＮｉｎ１原稿にかかるものでない場合（Ｓ３０５のＮＯ）、ハードディスク１２４に保存した原稿画像データをＲＡＭ１２３に読み出し（Ｓ３０６）、読み出した原稿画像データに設定条件等に応じて必要な画像処理を施して印刷し出力する（Ｓ３０７）。
【００４７】
一方、取得した原稿画像データがＮｉｎ１原稿にかかるものである場合（Ｓ３０５のＹＥＳ）、原稿画像データの所定領域を対象に文字認識を行い（Ｓ３０８）、当該文字認識処理によりＵＲＬが認識されなかった場合は（Ｓ３０９のＮＯ）、ハードディスク１２４から原稿画像データを読み出し（Ｓ３０６）、原稿画像データを印刷する（Ｓ３０７）。当該文字認識処理によりＵＲＬを認識した場合は（Ｓ３０９のＹＥＳ）、当該ＵＲＬで示されるＷｅｂページにかかるＷｅｂサーバ２０に、ネットワークインタフェース１２８および通信ネットワーク３０を介して、ＨＴＭＬファイルの転送要求を送信する（Ｓ３１０）。ついで、Ｗｅｂサーバ２０からＨＴＭＬファイルを受信するまで待機し（Ｓ３１１のＮＯ）、Ｗｅｂサーバ２０から通信ネットワーク３０およびネットワークインタフェース１２８を介してＨＴＭＬファイルを受信すると（Ｓ３１１のＹＥＳ）、受信したＨＴＭＬファイルを解析し（Ｓ３１２）、さらにＷｅｂサーバ２０にリンクファイルの転送要求を送信してリンクファイルを受信することによりＷｅｂページの画像データを生成して（Ｓ３１３）、生成したＷｅｂページ画像データに設定条件等に応じて必要な画像処理を施して印刷する（Ｓ３１４）。
【００４８】
これにより、原稿画像データがＮｉｎ１原稿にかかるものであるか否かを自動判別し、Ｎｉｎ１原稿にかかるものである場合にはダウンロードしたＨＴＭＬファイルによるＷｅｂページ画像データを利用ことにより、Ｎｉｎ１原稿のコピーで起こり易い細線のかすれや文字つぶれ等がない高画質のＷｅｂページ画像を出力することができる。
【００４９】
本実施形態では、画像処理装置としてデジタル複写機を例にして説明したが、画像処理装置としてはこれに限定されるものではなく、ファクシミリ装置等の画像読み取り機能および画像形成機能を有するその他の多機能周辺機器（ＭＦＰ）であってもよい。また、本実施形態における画像読取装置は、スキャナ等の画像読み取り装置であってもよく、この場合、上記画像データ印刷の手順（Ｓ３０７およびＳ３１４）において画像データを印刷する代わりに、当該画像データをプリンタ等の外部機器に送信する手順とすることができる。
【００５０】
図１３は、本発明の第３の実施形態にかかる画像形成装置であるデジタル複写機１３の画像処理の手順を示すフローチャートである。本実施形態におけるデジタル複写機１３を含む画像処理システムは、図８に示した前記第２の実施形態にかかるデジタル複写機１２を含む画像処理システムと同様の構成を有し、また、デジタル複写機１３は、図９に示したデジタル複写機１２と同様の構成を有する。ただし、デジタル複写機１３における印刷部１２７はカラー印刷が可能である。図１３において、デジタル複写機１３は、まず、ユーザから原稿読み取り開始命令があるまで待機し（Ｓ４０１のＮＯ）、ユーザから読み取り開始命令の入力を受け付けると（Ｓ４０１のＹＥＳ）、セットされた原稿を読み取って画像データを取得し（Ｓ４０２）、得られた原稿画像データをハードディスク１２４に保存する（Ｓ４０３）。
【００５１】
つぎに、得られた原稿画像データがカラーであるかモノクロであるかを判別する（Ｓ４０４）。原稿画像データがカラーであるかモノクロであるかを判別する方法としては、例えば、画像データの全画素の明度ヒストグラムと画像データ中の無彩色画素の明度ヒストグラムとを算出して、これらに基づいて画像データの総画素数に対するカラー領域の画素数の割合を求め、当該割合が基準値を超えるか基準値以下であるかによりカラーであるかモノクロであるかを判別する方法等が挙げられる。
【００５２】
デジタル複写機１３は、取得した原稿画像データがカラーである場合（Ｓ４０５のＮＯ）、ハードディスク１２４に保存した原稿画像データをＲＡＭ１２３に読み出し（Ｓ４０６）、読み出した原稿画像データを印刷する（Ｓ４０７）。
【００５３】
一方、取得した原稿画像データがモノクロである場合（Ｓ４０５のＹＥＳ）、原稿画像データの所定領域を対象に文字認識を行い（Ｓ４０８）、当該文字認識処理によりＵＲＬを認識しなかった場合は（Ｓ４０９のＮＯ）、ハードディスク１２４から原稿画像データを読み出し（Ｓ４０６）、原稿画像データを印刷する（Ｓ４０７）。当該文字認識処理によりＵＲＬを認識した場合は（Ｓ４０９のＹＥＳ）、当該ＵＲＬで示されるＷｅｂページにかかるＷｅｂサーバ２０にＨＴＭＬファイルの転送要求を送信する（Ｓ４１０）。ついで、Ｗｅｂサーバ２０からＨＴＭＬファイルを受信するまで待機し（Ｓ４１１のＮＯ）、Ｗｅｂサーバ２０からＨＴＭＬファイルを受信すると（Ｓ４１１のＹＥＳ）、受信したＨＴＭＬファイルを解析して（Ｓ４１２）Ｗｅｂページの画像データを生成し（Ｓ４１３）、生成したＷｅｂページ画像データを印刷する（Ｓ４１４）。これにより、カラー印刷が可能なデジタル複写機において、原稿がカラーかモノクロかを自動判別して、モノクロ原稿についてはダウンロードしたＷｅｂページ画像データを用いることにより、モノクロ原稿であってもカラーで出力することが可能となるものである。
【００５４】
図１４は、本発明の第４の実施形態にかかる画像処理装置を含む画像処理システムの全体構成を示すブロック図である。本画像処理システムは、画像処理装置としてのスキャナ１４とＷｅｂサーバ２０とが通信ネットワーク３０を介して相互に接続されてなる。また、スキャナ１４はプリンタ４０ａ、４０ｂおよび４０ｃと通信ネットワーク３０を介して通信可能に接続されている。また、本実施形態にかかるスキャナ１４は、前記第１の実施形態にかかるスキャナ１１と同様の構成を有する。ただし、ローカルインタフェース１１７は必ずしも有している必要はない。
【００５５】
図１５は、本実施形態にかかるスキャナ１４の画像処理の手順を示すフローチャートである。本実施形態におけるスキャナ１４の画像処理の手順が、前記第３の実施形態におけるデジタル複写機１３の画像処理の手順と異なるところは、原稿を読み取る前に、画像データを出力するプリンタをユーザに選択設定させるための出力プリンタの設定入力画面を操作パネル部１１５のタッチパネルに表示し（Ｓ５０１）、ユーザから出力プリンタの設定入力を受け付ける点（Ｓ５０２）、および、カラー／モノクロの判別手順（Ｓ５０６）において原稿画像データがカラーであった場合に（Ｓ５０７のＮＯ）、原稿画像データを前記出力プリンタの設定入力受付の手順（Ｓ５０１およびＳ５０２）で設定された出力先プリンタに送信し（Ｓ５０８およびＳ５０９）、原稿画像データがモノクロであった場合に（Ｓ５０７のＹＥＳ）、前記出力先プリンタがモノクロ出力である場合は（Ｓ５１０のＮＯ）原稿画像データを当該プリンタに送信し（Ｓ５０８およびＳ５０９）、前記出力先プリンタがカラー出力可能である場合は（Ｓ５１０のＹＥＳ）認識したＵＲＬに基づいてＷｅｂサーバから取得したＷｅｂページ画像データを当該プリンタに送信する点（Ｓ５１１〜Ｓ５１７）にある。これにより、画像データの出力装置がカラー出力であるかモノクロ出力であるかに合わせて画像データを選択して出力し、出力装置がカラー出力可能である場合には、原稿がカラーかモノクロかを自動判別して、モノクロ原稿についてはダウンロードしたＷｅｂページ画像データを用いることにより、モノクロ原稿であってもカラーで出力することが可能となるものである。
【００５６】
なお、設定された出力先プリンタがカラー出力可能であるかモノクロ出力であるかを判別する方法としては、ステップＳ５０２で出力先プリンタが選択された時点で当該プリンタとの通信を行い、当該プリンタのステータス情報を受信してそのステータス情報に基づいて判断する方法や、予め通信ネットワーク３０に接続しているプリンタ等の機器のステータス情報を取得しておき、ＲＡＭ１１３等にステータス情報テーブルとして保持しこれを利用して判断する方法等を用いることができる。
【００５７】
前記第１の実施形態および第４の実施形態においては、画像データの送信先をプリンタとして説明したが、画像データの出力先はプリンタに限られるものではなく、例えばデジタル複写機、ファクシミリ装置等の画像形成機能を有する多機能周辺機器、ディスプレイ等の画像表示装置、パソコン等の画像処理装置であってもよい。
【００５８】
また、上記実施形態では、通信ネットワーク３０上に接続されたファイルサーバとしてＷｅｂサーバの例で説明したが、当該ファイルサーバはこれに限られるものではなく、公開される文書ファイルもＨＴＭＬファイルに限られるものではない。
【００５９】
本発明による画像処理装置を構成する各手段、および画像処理方法は、専用のハードウエア回路によっても、プログラムされた画像処理装置によっても実現することができる。プログラムされた画像処理装置によって本発明を実現する場合、画像処理装置を動作させるプログラムは、フロッピーディスクやＣＤ−ＲＯＭ等のコンピュータ読取可能な記録媒体によって提供されることができる。この場合、コンピュータ読取可能な記録媒体に記録されたプログラムは、通常、ＲＯＭやハードディスク等に転送され記憶される。また、このプログラムは、たとえば、単独のアプリケーションソフトとして提供されてもよいし、また、画像処理装置の一機能としてその装置のソフトウエアに組み込んでもよい。
【００６０】
上述した本発明の実施形態には、特許請求の範囲の請求項１〜９に記載した発明以外にも、以下の付記１〜２９に示すような発明が含まれる。
【００６１】
［付記１］  ネットワーク上でサーバコンピュータにより公開された第１の文書ファイルを印刷して得られた原稿を読み取って第１の画像データを得る原稿読取手段と、
前記第１の画像データから前記第１の文書ファイルの所在を表す所在情報を抽出する所在情報抽出手段と、
前記第１の画像データから前記第１の文書ファイルを印刷した印刷日付を抽出する印刷日付抽出手段と、
ネットワーク上のサーバコンピュータから受信した文書ファイルを格納する文書ファイル格納手段と、
前記印刷日付より後に受信した前記所在情報にかかる第２の文書ファイルを前記文書ファイル格納手段から検索する文書ファイル検索手段と、
前記第２の文書ファイルから第２の画像データを生成する第２の画像データ生成手段と、
前記第２の画像データを他の機器に送信する画像データ送信手段と、
を有することを特徴とする画像処理装置。
【００６２】
［付記２］  前記所在情報に基づいて前記サーバコンピュータに文書ファイルの転送要求を送信する文書ファイル転送要求送信手段と、
前記サーバコンピュータから前記転送要求にかかる第３の文書ファイルを受信する文書ファイル受信手段と、
前記第３の文書ファイルから第３の画像データを生成する第３の画像データ生成手段とをさらに有し、
前記画像データ送信手段は、前記文書ファイル検索手段が第２の文書ファイルを検出しなかった場合に前記第３の画像データを他の機器に送信することを特徴とする、
付記１に記載の画像処理装置。
【００６３】
［付記３］  前記画像データ送信手段は、前記文書ファイル検索手段が第２の文書ファイルを検出しなかった場合に前記第１の画像データを他の機器に送信することを特徴とする、
付記１に記載の画像処理装置。
【００６４】
［付記４］  ネットワーク上でサーバコンピュータにより公開された第１の文書ファイルを印刷して得られた原稿を読み取って第１の画像データを得る原稿読取手段と、
前記第１の画像データから前記第１の文書ファイルの所在を表す所在情報を抽出する所在情報抽出手段と、
前記第１の画像データから前記第１の文書ファイルを印刷した印刷日付を抽出する印刷日付抽出手段と、
ネットワーク上のサーバコンピュータから受信した文書ファイルを格納する文書ファイル格納手段と、
前記印刷日付より後に受信した前記所在情報にかかる第２の文書ファイルを前記文書ファイル格納手段から検索する文書ファイル検索手段と、
前記第２の文書ファイルから第２の画像データを生成する第２の画像データ生成手段と、
前記所在情報に基づいて前記サーバコンピュータに文書ファイルの転送要求を送信する文書ファイル転送要求送信手段と、
前記サーバコンピュータから前記転送要求にかかる第３の文書ファイルを受信する文書ファイル受信手段と、
前記第３の文書ファイルから第３の画像データを生成する第３の画像データ生成手段と、
画像データ出力モードが画質優先モードであるか速度優先モードであるかの設定入力を受け付ける画像データ出力モード設定入力手段と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを他の機器に送信する第１の画像データ送信手段と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを他の機器に送信する第２の画像データ送信手段と、
を有することを特徴とする画像処理装置。
【００６５】
［付記５］  ネットワーク上でサーバコンピュータにより公開された文書ファイルを印刷して得られた原稿を読み取って第１の画像データを得る原稿読取手段と、
前記第１の画像データが前記文書ファイルの複数ページ分の画像データを縮小して１ページに印刷して得られた縮小画像原稿にかかるものであるか否かを判別する縮小画像原稿判別手段と、
前記第１の画像データが縮小画像原稿にかかるものでない場合に前記第１の画像データを他の機器に送信する第１の画像データ送信手段と、
前記第１の画像データから前記文書ファイルの所在を表す所在情報を抽出する所在情報抽出手段と、
前記所在情報に基づいて前記サーバコンピュータに前記文書ファイルの転送要求を送信する文書ファイル転送要求送信手段と、
前記サーバコンピュータから前記文書ファイルを受信する文書ファイル受信手段と、
前記文書ファイルから第２の画像データを生成する画像データ生成手段と、
前記第１の画像データが縮小画像原稿にかかるものである場合に前記第２の画像データを他の機器に送信する第２の画像データ送信手段と、
を有することを特徴とする画像処理装置。
【００６６】
［付記６］  ネットワーク上でサーバコンピュータにより公開された文書ファイルを印刷して得られた原稿を読み取って第１の画像データを得る原稿読取手段と、
前記第１の画像データがカラーであるかモノクロであるかを判別するカラー／モノクロ判別手段と、
前記第１の画像データがカラーである場合に前記第１の画像データを他の機器に送信する第１の画像データ送信手段と、
前記第１の画像データから前記文書ファイルの所在を表す所在情報を抽出する所在情報抽出手段と、
前記所在情報に基づいて前記サーバコンピュータに前記文書ファイルの転送要求を送信する文書ファイル転送要求送信手段と、
前記サーバコンピュータから前記文書ファイルを受信する文書ファイル受信手段と、
前記文書ファイルから第２の画像データを生成する画像データ生成手段と、
前記第１の画像データがモノクロである場合に、モノクロで画像形成する機器には前記第１の画像データを、カラーで画像形成する機器には前記第２の画像データを、それぞれ送信する第２の画像データ送信手段と、
を有することを特徴とする画像処理装置。
【００６７】
［付記７］  前記サーバコンピュータに前記所在情報にかかる第３の文書ファイルの転送要求を送信する段階（７）と、
前記サーバコンピュータから前記第３の文書ファイルを受信する段階（８）と、
前記第３の文書ファイルから第３の画像データを生成する段階（９）とをさらに有し、
段階（６）は、段階（４）で第２の文書ファイルを検出しなかった場合に前記第３の画像データを画像形成することを特徴とする、
請求項７に記載の画像形成方法。
【００６８】
［付記８］  段階（６）は、段階（４）で第２の文書ファイルを検出しなかった場合に前記第１の画像データを画像形成することを特徴とする、
請求項７に記載の画像形成方法。
【００６９】
［付記９］  ネットワーク上でサーバコンピュータにより公開された第１の文書ファイルを印刷して得られた原稿を読み取って第１の画像データを得る段階（１）と、
前記第１の画像データから前記第１の文書ファイルの所在を表す所在情報を抽出する段階（２）と、
前記第１の画像データから前記第１の文書ファイルを印刷した印刷日付を抽出する段階（３）と、
ネットワーク上のサーバコンピュータから受信した文書ファイルを格納した文書ファイル格納手段から、前記印刷日付より後に受信した前記所在情報にかかる第２の文書ファイルを検索する段階（４）と、
前記第２の文書ファイルから第２の画像データを生成する段階（５）と、
前記サーバコンピュータに前記所在情報にかかる第３の文書ファイルの転送要求を送信する段階（６）と、
前記サーバコンピュータから前記第３の文書ファイルを受信する段階（７）と、
前記第３の文書ファイルから第３の画像データを生成する段階（８）と、
画像データ出力モードが画質優先モードであるか速度優先モードであるかの設定入力を受け付ける段階（９）と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを画像形成する段階（１０）と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを画像形成する段階（１１）と、
を有することを特徴とする画像処理方法。
【００７０】
［付記１０］  ネットワーク上でサーバコンピュータにより公開された第１の文書ファイルを印刷して得られた原稿を読み取って第１の画像データを得る段階（１）と、
前記第１の画像データから前記第１の文書ファイルの所在を表す所在情報を抽出する段階（２）と、
前記第１の画像データから前記第１の文書ファイルを印刷した印刷日付を抽出する段階（３）と、
ネットワーク上のサーバコンピュータから受信した文書ファイルを格納した文書ファイル格納手段から、前記印刷日付より後に受信した前記所在情報にかかる第２の文書ファイルを検索する段階（４）と、
前記第２の文書ファイルから第２の画像データを生成する段階（５）と、
前記第２の画像データを他の機器に送信する段階（６）と、
を有することを特徴とする画像処理方法。
【００７１】
［付記１１］  前記サーバコンピュータに前記所在情報にかかる第３の文書ファイルの転送要求を送信する段階（７）と、
前記サーバコンピュータから前記第３の文書ファイルを受信する段階（８）と、
前記第３の文書ファイルから第３の画像データを生成する段階（９）とをさらに有し、
段階（６）は、段階（４）で第２の文書ファイルを検出しなかった場合に前記第３の画像データを他の機器に送信することを特徴とする、
付記１０に記載の画像形成方法。
【００７２】
［付記１２］  段階（６）は、段階（４）で第２の文書ファイルを検出しなかった場合に前記第１の画像データを他の機器に送信することを特徴とする、
付記１０に記載の画像形成方法。
【００７３】
［付記１３］  ネットワーク上でサーバコンピュータにより公開された第１の文書ファイルを印刷して得られた原稿を読み取って第１の画像データを得る段階（１）と、
前記第１の画像データから前記第１の文書ファイルの所在を表す所在情報を抽出する段階（２）と、
前記第１の画像データから前記第１の文書ファイルを印刷した印刷日付を抽出する段階（３）と、
ネットワーク上のサーバコンピュータから受信した文書ファイルを格納した文書ファイル格納手段から、前記印刷日付より後に受信した前記所在情報にかかる第２の文書ファイルを検索する段階（４）と、
前記第２の文書ファイルから第２の画像データを生成する段階（５）と、
前記サーバコンピュータに前記所在情報にかかる第３の文書ファイルの転送要求を送信する段階（６）と、
前記サーバコンピュータから前記第３の文書ファイルを受信する段階（７）と、
前記第３の文書ファイルから第３の画像データを生成する段階（８）と、
画像データ出力モードが画質優先モードであるか速度優先モードであるかの設定入力を受け付ける段階（９）と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを他の機器に送信する段階（１０）と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを他の機器に送信する段階（１１）と、
を有することを特徴とする画像処理方法。
【００７４】
［付記１４］  ネットワーク上でサーバコンピュータにより公開された文書ファイルを印刷して得られた原稿を読み取って第１の画像データを得る段階（１）と、
前記第１の画像データが前記文書ファイルの複数ページ分の画像データを縮小して１ページに印刷して得られた縮小画像原稿にかかるものであるか否かを判別する段階（２）と、
前記第１の画像データが縮小画像原稿にかかるものでない場合に前記第１の画像データを画像形成する段階（３）と、
前記第１の画像データから前記文書ファイルの所在を表す所在情報を抽出する段階（４）と、
前記所在情報に基づいて前記サーバコンピュータに前記文書ファイルの転送要求を送信する段階（５）と、
前記サーバコンピュータから前記文書ファイルを受信する段階（６）と、
前記文書ファイルから第２の画像データを生成する段階（７）と、
前記第１の画像データが縮小画像原稿にかかるものである場合に前記第２の画像データを画像形成する段階（８）と、
を有することを特徴とする画像処理方法。
【００７５】
［付記１５］  ネットワーク上でサーバコンピュータにより公開された文書ファイルを印刷して得られた原稿を読み取って第１の画像データを得る段階（１）と、
前記第１の画像データが前記文書ファイルの複数ページ分の画像データを縮小して１ページに印刷して得られた縮小画像原稿にかかるものであるか否かを判別する段階（２）と、
前記第１の画像データが縮小画像原稿にかかるものでない場合に前記第１の画像データを他の機器に送信する段階（３）と、
前記第１の画像データから前記文書ファイルの所在を表す所在情報を抽出する段階（４）と、
前記所在情報に基づいて前記サーバコンピュータに前記文書ファイルの転送要求を送信する段階（５）と、
前記サーバコンピュータから前記文書ファイルを受信する段階（６）と、
前記文書ファイルから第２の画像データを生成する段階（７）と、
前記第１の画像データが縮小画像原稿にかかるものである場合に前記第２の画像データを他の機器に送信する段階（８）と、
を有することを特徴とする画像処理方法。
【００７６】
［付記１６］  ネットワーク上でサーバコンピュータにより公開された文書ファイルを印刷して得られた原稿を読み取って第１の画像データを得る段階（１）と、
前記第１の画像データがカラーであるかモノクロであるかを判別する段階（２）と、
前記第１の画像データがカラーである場合に前記第１の画像データをカラーで画像形成する段階（３）と、
前記第１の画像データから前記文書ファイルの所在を表す所在情報を抽出する段階（４）と、
前記所在情報に基づいて前記サーバコンピュータに前記文書ファイルの転送要求を送信する段階（５）と、
前記サーバコンピュータから前記文書ファイルを受信する段階（６）と、
前記文書ファイルから第２の画像データを生成する段階（７）と、
前記第１の画像データがモノクロである場合に前記第２の画像データをカラーで画像形成する段階（８）と、
を有することを特徴とする画像処理方法。
【００７７】
［付記１７］  ネットワーク上でサーバコンピュータにより公開された文書ファイルを印刷して得られた原稿を読み取って第１の画像データを得る段階（１）と、
前記第１の画像データがカラーであるかモノクロであるかを判別する段階（２）と、
前記第１の画像データがカラーである場合に前記第１の画像データを他の機器に送信する段階（３）と、
前記第１の画像データから前記文書ファイルの所在を表す所在情報を抽出する段階（４）と、
前記所在情報に基づいて前記サーバコンピュータに前記文書ファイルの転送要求を送信する段階（５）と、
前記サーバコンピュータから前記文書ファイルを受信する段階（６）と、
前記文書ファイルから第２の画像データを生成する段階（７）と、
前記第１の画像データがモノクロである場合に、モノクロで画像形成する機器には前記第１の画像データを、カラーで画像形成する機器には前記第２の画像データを、それぞれ送信する段階（８）と、
を有することを特徴とする画像処理方法。
【００７８】
［付記１８］  前記サーバコンピュータに前記所在情報にかかる第３の文書ファイルの転送要求を送信する手順（７）と、
前記サーバコンピュータから前記第３の文書ファイルを受信する手順（８）と、
前記第３の文書ファイルから第３の画像データを生成する手順（９）とをさらに有し、
手順（６）は、手順（４）で第２の文書ファイルを検出しなかった場合に前記第３の画像データを画像形成することを特徴とする、
請求項８に記載の画像処理プログラム。
【００７９】
［付記１９］  手順（６）は、手順（４）で第２の文書ファイルを検出しなかった場合に前記第１の画像データを画像形成することを特徴とする、
請求項８に記載の画像処理プログラム。
【００８０】
［付記２０］  ネットワーク上でサーバコンピュータにより公開された第１の文書ファイルを印刷して得られた原稿を読み取って第１の画像データを得る手順（１）と、
前記第１の画像データから前記第１の文書ファイルの所在を表す所在情報を抽出する手順（２）と、
前記第１の画像データから前記第１の文書ファイルを印刷した印刷日付を抽出する手順（３）と、
ネットワーク上のサーバコンピュータから受信した文書ファイルを格納した文書ファイル格納手段から、前記印刷日付より後に受信した前記所在情報にかかる第２の文書ファイルを検索する手順（４）と、
前記第２の文書ファイルから第２の画像データを生成する手順（５）と、
前記サーバコンピュータに前記所在情報にかかる第３の文書ファイルの転送要求を送信する手順（６）と、
前記サーバコンピュータから前記第３の文書ファイルを受信する手順（７）と、
前記第３の文書ファイルから第３の画像データを生成する手順（８）と、
画像データ出力モードが画質優先モードであるか速度優先モードであるかの設定入力を受け付ける手順（９）と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを画像形成する手順（１０）と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを画像形成する手順（１１）と、
を画像処理装置に実行させることを特徴とする画像処理プログラム。
【００８１】
［付記２１］  ネットワーク上でサーバコンピュータにより公開された第１の文書ファイルを印刷して得られた原稿を読み取って第１の画像データを得る手順（１）と、
前記第１の画像データから前記第１の文書ファイルの所在を表す所在情報を抽出する手順（２）と、
前記第１の画像データから前記第１の文書ファイルを印刷した印刷日付を抽出する手順（３）と、
ネットワーク上のサーバコンピュータから受信した文書ファイルを格納した文書ファイル格納手段から、前記印刷日付より後に受信した前記所在情報にかかる第２の文書ファイルを検索する手順（４）と、
前記第２の文書ファイルから第２の画像データを生成する手順（５）と、
前記第２の画像データを他の機器に送信する手順（６）と、
を画像処理装置に実行させることを特徴とする画像処理プログラム。
【００８２】
［付記２２］  前記サーバコンピュータに前記所在情報にかかる第３の文書ファイルの転送要求を送信する手順（７）と、
前記サーバコンピュータから前記第３の文書ファイルを受信する手順（８）と、
前記第３の文書ファイルから第３の画像データを生成する手順（９）とをさらに有し、
手順（６）は、手順（４）で第２の文書ファイルを検出しなかった場合に前記第３の画像データを他の機器に送信することを特徴とする、
付記２１に記載の画像処理プログラム。
【００８３】
［付記２３］  手順（６）は、手順（４）で第２の文書ファイルを検出しなかった場合に前記第１の画像データを他の機器に送信することを特徴とする、
付記２１に記載の画像処理プログラム。
【００８４】
［付記２４］  ネットワーク上でサーバコンピュータにより公開された第１の文書ファイルを印刷して得られた原稿を読み取って第１の画像データを得る手順（１）と、
前記第１の画像データから前記第１の文書ファイルの所在を表す所在情報を抽出する手順（２）と、
前記第１の画像データから前記第１の文書ファイルを印刷した印刷日付を抽出する手順（３）と、
ネットワーク上のサーバコンピュータから受信した文書ファイルを格納した文書ファイル格納手段から、前記印刷日付より後に受信した前記所在情報にかかる第２の文書ファイルを検索する手順（４）と、
前記第２の文書ファイルから第２の画像データを生成する手順（５）と、
前記サーバコンピュータに前記所在情報にかかる第３の文書ファイルの転送要求を送信する手順（６）と、
前記サーバコンピュータから前記第３の文書ファイルを受信する手順（７）と、
前記第３の文書ファイルから第３の画像データを生成する手順（８）と、
画像データ出力モードが画質優先モードであるか速度優先モードであるかの設定入力を受け付ける手順（９）と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを他の機器に送信する手順（１０）と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを他の機器に送信する手順（１１）と、
を画像処理装置に実行させることを特徴とする画像処理プログラム。
【００８５】
［付記２５］  ネットワーク上でサーバコンピュータにより公開された文書ファイルを印刷して得られた原稿を読み取って第１の画像データを得る手順（１）と、
前記第１の画像データが前記文書ファイルの複数ページ分の画像データを縮小して１ページに印刷して得られた縮小画像原稿にかかるものであるか否かを判別する手順（２）と、
前記第１の画像データが縮小画像原稿にかかるものでない場合に前記第１の画像データを画像形成する手順（３）と、
前記第１の画像データから前記文書ファイルの所在を表す所在情報を抽出する手順（４）と、
前記所在情報に基づいて前記サーバコンピュータに前記文書ファイルの転送要求を送信する手順（５）と、
前記サーバコンピュータから前記文書ファイルを受信する手順（６）と、
前記文書ファイルから第２の画像データを生成する手順（７）と、
前記第１の画像データが縮小画像原稿にかかるものである場合に前記第２の画像データを画像形成する手順（８）と、
を画像処理装置に実行させることを特徴とする画像処理プログラム。
【００８６】
［付記２６］  ネットワーク上でサーバコンピュータにより公開された文書ファイルを印刷して得られた原稿を読み取って第１の画像データを得る手順（１）と、
前記第１の画像データが前記文書ファイルの複数ページ分の画像データを縮小して１ページに印刷して得られた縮小画像原稿にかかるものであるか否かを判別する手順（２）と、
前記第１の画像データが縮小画像原稿にかかるものでない場合に前記第１の画像データを他の機器に送信する手順（３）と、
前記第１の画像データから前記文書ファイルの所在を表す所在情報を抽出する手順（４）と、
前記所在情報に基づいて前記サーバコンピュータに前記文書ファイルの転送要求を送信する手順（５）と、
前記サーバコンピュータから前記文書ファイルを受信する手順（６）と、
前記文書ファイルから第２の画像データを生成する手順（７）と、
前記第１の画像データが縮小画像原稿にかかるものである場合に前記第２の画像データを他の機器に送信する手順（８）と、
を画像処理装置に実行させることを特徴とする画像処理プログラム。
【００８７】
［付記２７］  ネットワーク上でサーバコンピュータにより公開された文書ファイルを印刷して得られた原稿を読み取って第１の画像データを得る手順（１）と、
前記第１の画像データがカラーであるかモノクロであるかを判別する手順（２）と、
前記第１の画像データがカラーである場合に前記第１の画像データをカラーで画像形成する手順（３）と、
前記第１の画像データから前記文書ファイルの所在を表す所在情報を抽出する手順（４）と、
前記所在情報に基づいて前記サーバコンピュータに前記文書ファイルの転送要求を送信する手順（５）と、
前記サーバコンピュータから前記文書ファイルを受信する手順（６）と、
前記文書ファイルから第２の画像データを生成する手順（７）と、
前記第１の画像データがモノクロである場合に前記第２の画像データをカラーで画像形成する手順（８）と、
を画像処理装置に実行させることを特徴とする画像処理プログラム。
【００８８】
［付記２８］  ネットワーク上でサーバコンピュータにより公開された文書ファイルを印刷して得られた原稿を読み取って第１の画像データを得る手順（１）と、
前記第１の画像データがカラーであるかモノクロであるかを判別する手順（２）と、
前記第１の画像データがカラーである場合に前記第１の画像データを他の機器に送信する手順（３）と、
前記第１の画像データから前記文書ファイルの所在を表す所在情報を抽出する手順（４）と、
前記所在情報に基づいて前記サーバコンピュータに前記文書ファイルの転送要求を送信する手順（５）と、
前記サーバコンピュータから前記文書ファイルを受信する手順（６）と、
前記文書ファイルから第２の画像データを生成する手順（７）と、
前記第１の画像データがモノクロである場合に、モノクロで画像形成する機器には前記第１の画像データを、カラーで画像形成する機器には前記第２の画像データを、それぞれ送信する手順（８）と、
を画像処理装置に実行させることを特徴とする画像処理プログラム。
【００８９】
［付記２９］  付記１８〜２８に記載の画像処理プログラムを記録したコンピュータ読取可能な記録媒体。
【００９０】
【発明の効果】
上述のとおり、本発明の画像処理装置によれば、Ｗｅｂページの印刷物を読み取ってＵＲＬを文字認識し、そのＷｅｂサーバに接続してＷｅｂページの画像データを生成して出力する画像処理装置において、原稿画像データと既にダウンロードしたＷｅｂページ画像データと新たにダウンロードしたＷｅｂページ画像データとを適宜選択して出力することにより、画質優先や速度優先というユーザの要望に合致したＷｅｂページの印刷物を出力することができる。
【００９１】
また、本発明の画像処理装置によれば、Ｎｉｎ１原稿であるか否かを判別して、Ｎｉｎ１原稿である場合にはダウンロードしたＷｅｂページ画像データを用いることにより、文字つぶれ等のない高画質のＷｅｂページ画像を出力することができる。
【００９２】
さらに、本発明の画像処理装置によれば、出力装置がカラー出力可能である場合に、原稿がカラーかモノクロかを判別して、モノクロ原稿についてはダウンロードしたＷｅｂページ画像データを用いることにより、モノクロ原稿であってもカラーで出力することが可能である。
【図面の簡単な説明】
【図１】  本発明の第１の実施形態にかかるスキャナ１１を含む画像処理システムの全体構成を示すブロック図である。
【図２】  スキャナ１１の構成を示すブロック図である。
【図３】  スキャナ１１の画像処理の手順を示すフローチャートである。
【図４】  スキャナ１１の操作パネル部に表示する画像データ出力モードの設定入力画面の一例を示す図である。
【図５】  スキャナ１１の画像データ送信処理の手順を示すフローチャートである。
【図６】  Ｗｅｂページを印刷した原稿の一例を示す図である。
【図７】  スキャナ１１のＨＴＭＬファイル受信リストの一例を示す図である。
【図８】  本発明の第２の実施形態にかかるデジタル複写機１２を含む画像処理システムの全体構成を示すブロック図である。
【図９】  デジタル複写機１２の構成を示すブロック図である。
【図１０】  デジタル複写機１２の画像処理の手順を示すフローチャートである。
【図１１】  ＷｅｂページをＮｉｎ１（２ｉｎ１）で印刷した原稿の一例を示す図である。
【図１２】  原稿画像データがＮｉｎ１原稿にかかるものであるか否かを判別する方法の一例を示す図である。
【図１３】  本発明の第３の実施形態にかかるデジタル複写機１３の画像処理の手順を示すフローチャートである。
【図１４】  本発明の第４の実施形態にかかるスキャナ１４を含む画像処理システムの全体構成を示すブロック図である。
【図１５】  スキャナ１４の画像処理の手順を示すフローチャートである。
【符号の説明】
１１、１４…スキャナ、
１２、１３…デジタル複写機、
２０…Ｗｅｂサーバ、
３０…通信ネットワーク、
４０、４０ａ、４０ｂ、４０ｃ…プリンタ
１１１，１２１…ＣＰＵ、
１１２，１２２…ＲＯＭ、
１１３，１２３…ＲＡＭ、
１１４，１２４…ハードディスク、
１１５，１２５…操作パネル部、
１１６，１２６…原稿読取部、
１１７…ローカルインタフェース、
１２７…印刷部、
１１８，１２８…ネットワークインタフェース、
１１９，１２９…バス。
【図１】
0004168605.tif 000002
【図２】
0004168605.tif 000003
【図３】
0004168605.tif 000004
【図４】
0004168605.tif 000005
【図５】
0004168605.tif 000006
【図６】
0004168605.tif 000007
【図７】
0004168605.tif 000008
【図８】
0004168605.tif 000009
【図９】
0004168605.tif 000010
【図１０】
0004168605.tif 000011
【図１１】
0004168605.tif 000012
【図１２】
0004168605.tif 000013
【図１３】
0004168605.tif 000014
【図１４】
0004168605.tif 000015
【図１５】
0004168605.tif 000016